(57)【特許請求の範囲】
【請求項１】
被スイッチ用の高周波信号が入力される信号入力端子と、
前記信号入力端子に複数段カスケード接続され、それぞれ前記被スイッチ用の高周波信号を順次に増幅するためのトランジスタによるエミッタフォロア回路を含む複数の増幅回路と、
前記エミッタフォロア回路を含む複数の増幅回路の最終段の増幅回路の出力部に接続され、前記順次に増幅される被スイッチ用の高周波信号を出力する信号出力端子と、
スイッチング信号としての第１のレベルの期間及び第２のレベルの期間を有するパルス信号が入力される制御端子と、
前記制御端子に入力されるパルス信号が第１のレベルの期間にあるとき、前記エミッタフォロア回路を含む複数の増幅回路の各トランジスタに作動用電流を供給して前記エミッタフォロア回路を含む複数の増幅回路を増幅動作状態とし、
前記パルス信号が第２のレベルの期間にあるとき、前記エミッタフォロア回路を含む複数の増幅回路の各トランジスタに対する作動用電流の供給を停止して前記エミッタフォロア回路を含む複数の増幅回路を非増幅動作状態とする供給電流制御回路とを備え、
前記制御端子に入力されるパルス信号のレベルに応じて前記信号入力端子と前記信号出力端子との間を高周波的に開閉する高周波電子スイッチ。
【請求項２】
前記信号入力端子として備えられ、前記被スイッチ用の高周波信号として正相及び逆相の高周波信号の少なくとも一方が入力される正相信号入力端子及び逆相信号入力端子と、
前記信号出力端子として備えられ、前記正相及び逆相の高周波信号の少なくとも一方が出力される正相信号出力端子及び逆相信号出力端子とを有し、
前記正相信号入力端子及び前記逆相信号入力端子と前記正相信号出力端子及び前記逆相信号出力端子との間に複数段カスケード接続される前記複数の増幅回路をそれぞれ複数のトランジスタによる差動型に構成したことを特徴とする請求項１に記載の高周波電子スイッチ。
【請求項３】
前記複数の増幅回路の各々は、前記正相信号入力端子及び前記逆相信号入力端子からの前記高周波信号が供給されるように接続された一対の前記エミッタフォロア回路及びこの一対の前記エミッタフォロア回路からの出力が夫々入力され、差動接続された一対のトランジスタ並びにこの一対のトランジスタのエミッタ間を高周波的に接続するコンデンサから構成される請求項２に記載の高周波電子スイッチ。
【請求項４】
前記供給電流制御回路は、それぞれ、前記複数の増幅回路の各トランジスタに接続される複数の定電流回路を含み、前記制御端子に入力されるパルス信号のレベルに応じて前記複数の定電流回路を同時にまたはほぼ同時に動作状態または非動作状態とすることにより、前記複数の増幅回路を同時にまたはほぼ同時に増幅動作状態または非増幅動作状態とすることを特徴とする請求項１または２に記載の高周波電子スイッチ。
【請求項５】
前記供給電流制御回路の前記複数の定電流回路がそれぞれトランジスタによる複数の定電流回路で構成され、前記複数の定電流回路の各トランジスタのベースに前記制御端子に入力されるパルス信号が供給されるように構成したことを特徴とする請求項４に記載の高周波電子スイッチ。
【請求項６】
前記供給電流制御回路は、それぞれ、前記複数の増幅回路の各トランジスタに接続される複数の定電流回路と、前記制御端子に入力されるパルス信号に対して前記複数の増幅回路において前記順次に増幅される被スイッチ用の高周波信号の遅延に対応した遅延を与える複数の遅延回路とを含み、前記制御端子に入力されるパルス信号のレベルに応じて前記複数の定電流回路を前記高周波信号の遅延に対応させて時間的にずらして動作状態または非動作状態とすることを特徴とする請求項１または２に記載の高周波電子スイッチ。
【請求項７】
前記供給電流制御回路の前記複数の定電流回路がそれぞれトランジスタによる複数の定電流回路で構成され、前記複数の定電流回路の各トランジスタのベースに前記制御端子に入力されるパルス信号が供給されるように構成したことを特徴とする請求項６に記載の高周波電子スイッチ。
【請求項８】
前記正相信号出力端子及び前記逆相信号出力端子の間に接続され、前記正相信号入力端子及び前記逆相信号入力端子にそれぞれ前記被スイッチ用の高周波信号として正相及び逆相の高周波信号が入力されたとき、前記差動型に構成される複数の増幅回路で順次に増幅されて前記正相信号出力端子及び前記逆相信号出力端子から出力される前記被スイッチ用の高周波信号としての正相及び逆相の高周波信号を合成して出力する合成回路をさらに備えていることを特徴とする請求項２に記載の高周波電子スイッチ。
【請求項９】
高周波キャリア信号を連続的に出力するキャリア信号発生器と、
前記キャリア信号発生器から出力される前記高周波キャリア信号をバースト状に出力または出力停止状態とする高周波電子スイッチとを備え、
前記高周波電子スイッチは、
前記高周波キャリア信号を受ける信号入力端子と、
前記信号入力端子に複数段カスケード接続され、それぞれ前記高周波キャリア信号を順次に増幅するためのトランジスタによるエミッタフォロア回路を含む複数の増幅回路と、
前記エミッタフォロア回路を含む複数の増幅回路の最終段の増幅回路の出力部に接続され、前記順次に増幅される高周波キャリア信号を出力する信号出力端子と、
スイッチング信号としての第１のレベルの期間及び第２のレベルの期間を有するパルス信号が入力される制御端子と、
前記制御端子に入力されるパルス信号が第１のレベルの期間にあるとき、前記エミッタフォロア回路を含む複数の増幅回路の各トランジスタに作動用電流を供給して前記エミッタフォロア回路を含む複数の増幅回路を増幅動作状態とし、
前記パルス信号が第２のレベルの期間にあるとき、前記エミッタフォロア回路を含む複数の増幅回路の各トランジスタに対する作動用電流の供給を停止して前記エミッタフォロア回路を含む複数の増幅回路を非増幅動作状態とする供給電流制御回路とを備え、
前記高周波電子スイッチにより、前記制御端子に入力されるパルス信号のレベルに応じて前記信号入力端子と前記信号出力端子との間を高周波的に開閉して、前記高周波キャリア信号をバースト状に出力または出力停止状態とするバースト波発生装置。
【請求項１０】
前記高周波電子スイッチの前記信号入力端子として備えられ、前記高周波キャリア信号として正相及び逆相の高周波キャリア信号の少なくとも一方が入力される正相信号入力端子及び逆相信号入力端子と、
前記高周波電子スイッチの前記信号出力端子として備えられ、前記正相及び逆相の高周波キャリア信号の少なくとも一方が出力される正相信号出力端子及び逆相信号出力端子とを有し、
前記正相信号入力端子及び前記逆相信号入力端子と前記正相信号出力端子及び前記逆相信号出力端子との間に複数段カスケード接続される前記複数の増幅回路をそれぞれ複数のトランジスタによる差動型に構成したことを特徴とする請求項９に記載のバースト波発生装置。
【請求項１１】
前記正相信号入力端子及び前記逆相信号入力端子からの前記高周波信号が供給されるように接続された一対の前記エミッタフォロア回路及びこの一対の前記エミッタフォロア回路からの出力が夫々入力され、差動接続された一対のトランジスタ並びにこの一対のトランジスタのエミッタ間を高周波的に接続するコンデンサから構成される請求項１０に記載のバースト波発生装置。
【請求項１２】
前記高周波電子スイッチの前記供給電流制御回路は、それぞれ、前記複数の増幅回路の各トランジスタに接続される複数の定電流回路を含み、前記制御端子に入力されるパルス信号のレベルに応じて前記複数の定電流回路を同時にまたはほぼ同時に動作状態または非動作状態とすることにより、前記複数の増幅回路を同時にまたはほぼ同時に増幅動作状態または前記非増幅動作状態とすることを特徴とする請求項９または１０に記載のバースト波発生装置。
【請求項１３】
前記高周波電子スイッチは、前記供給電流制御回路の前記複数の定電流回路がそれぞれトランジスタによる複数の定電流回路で構成され、前記複数の定電流回路の各トランジスタのベースに前記制御端子に入力されるパルス信号が供給されるように構成したことを特徴とする請求項１２に記載のバースト波発生装置。
【請求項１４】
前記高周波電子スイッチの前記供給電流制御回路は、それぞれ、前記複数の増幅回路の各トランジスタに接続される複数の定電流回路と、前記制御端子に入力されるパルス信号に対して前記複数の増幅回路において前記順次に増幅される高周波キャリア信号の遅延に対応した遅延を与える複数の遅延回路とを含み、前記制御端子に入力されるパルス信号のレベルに応じて前記複数の定電流回路を前記高周波キャリア信号の遅延に対応させて時間的にずらして動作状態または非動作状態とすることを特徴とする請求項９または１０に記載のバースト波発生装置。
【請求項１５】
前記高周波電子スイッチは、前記供給電流制御回路の前記複数の定電流回路がそれぞれトランジスタによる複数の定電流回路で構成され、前記複数の定電流回路の各トランジスタのベースに前記制御端子に入力されるパルス信号が供給されるように構成したことを特徴とする請求項１４に記載のバースト波発生装置。
【請求項１６】
前記高周波電子スイッチは、前記正相信号出力端子及び前記逆相信号出力端子の間に接続され、前記正相信号入力端子及び前記逆相信号入力端子にそれぞれ前記高周波キャリア信号として正相及び逆相の高周波キャリア信号が入力されたとき、前記差動型に構成される複数の増幅回路で順次に増幅されて前記正相信号出力端子及び前記逆相信号出力端子から出力される前記高周波キャリア信号としての正相及び逆相の高周波キャリア信号を合成して出力する合成回路をさらに備えていることを特徴とする請求項１０に記載のバースト波発生装置。
【請求項１７】
送信トリガ信号を受ける毎に、所定幅の短パルス波を空間へ放射するために、高周波キャリア信号を連続的に出力するキャリア信号発生器及び該キャリア信号発生器から出力される前記高周波キャリア信号をバースト状に出力または出力停止状態とする高周波電子スイッチとを含むバースト波発生装置を有する送信部と、
前記短パルス波の反射波に対する受信検波処理を行う受信部と、
前記受信部からの出力に基づいて、前記空間に存在する物体の解析処理を行う信号処理部と、
前記信号処理部からの解析結果に基づいて、前記送信部及び前記受信部の少なくとも一方に対して所定の制御を行う制御部とを具備し、
前記バースト波発生装置の高周波電子スイッチは、
前記高周波キャリア信号を受ける信号入力端子と、
前記信号入力端子に複数段カスケード接続され、それぞれ前記高周波キャリア信号を順次に増幅するためのトランジスタによるエミッタフォロア回路を含む複数の増幅回路と、
前記エミッタフォロア回路を含む複数の増幅回路の最終段の増幅回路の出力部に接続され、前記順次に増幅される高周波キャリア信号を出力する信号出力端子と、
スイッチング信号としての第１のレベルの期間及び第２のレベルの期間を有するパルス信号が入力される制御端子と、
前記制御端子に入力されるパルス信号が第１のレベルの期間にあるとき、前記エミッタフォロア回路を含む複数の増幅回路の各トランジスタに作動用電流を供給して前記エミッタフォロア回路を含む複数の増幅回路を増幅動作状態とし、
前記パルス信号が第２のレベルの期間にあるとき、前記エミッタフォロア回路を含む複数の増幅回路の各トランジスタに対する作動用電流の供給を停止して前記エミッタフォロア回路を含む複数の増幅回路を非増幅動作状態とする供給電流制御回路とを備え、
前記高周波電子スイッチにより、前記制御端子に入力されるパルス信号のレベルに応じて前記信号入力端子と前記信号出力端子との間を高周波的に開閉して、前記高周波キャリア信号をバースト状に出力または出力停止状態とする短パルスレーダ。
【請求項１８】
前記高周波電子スイッチの前記信号入力端子として備えられ、前記高周波キャリア信号として正相及び逆相の高周波キャリア信号の少なくとも一方が入力される正相信号入力端子及び逆相信号入力端子と、
前記高周波電子スイッチの前記信号出力端子として備えられ、前記正相及び逆相の高周波キャリア信号の少なくとも一方が出力される正相信号出力端子及び逆相信号出力端子とを有し、
前記正相信号入力端子及び前記逆相信号入力端子と前記正相信号出力端子及び前記逆相信号出力端子との間に複数段カスケード接続される前記複数の増幅回路をそれぞれ複数のトランジスタによる差動型に構成したことを特徴とする請求項１７に記載の短パルスレーダ。
【請求項１９】
前記正相信号入力端子及び前記逆相信号入力端子からの前記高周波信号が供給されるように接続された一対の前記エミッタフォロア回路及びこの一対の前記エミッタフォロア回路からの出力が夫々入力され、差動接続された一対のトランジスタ並びにこの一対のトランジスタのエミッタ間を高周波的に接続するコンデンサから構成される請求項１８に記載の短パルスレーダ。
【請求項２０】
前記高周波電子スイッチの前記供給電流制御回路は、それぞれ、前記複数の増幅回路の各トランジスタに接続される複数の定電流回路を含み、前記制御端子に入力されるパルス信号のレベルに応じて前記複数の定電流回路を同時にまたはほぼ同時に動作状態または非動作状態とすることにより、前記複数の増幅回路を同時にまたはほぼ同時に増幅動作状態または非増幅動作状態とすることを特徴とする請求項１７または１８に記載の短パルスレーダ。
【請求項２１】
前記高周波電子スイッチは、前記供給電流制御回路の前記複数の定電流回路がそれぞれトランジスタによる複数の定電流回路で構成され、前記複数の定電流回路の各トランジスタのベースに前記制御端子に入力されるパルス信号が供給されるように構成したことを特徴とする請求項２０に記載の短パルスレーダ。
【請求項２２】
前記高周波電子スイッチの前記供給電流制御回路は、それぞれ、前記複数の増幅回路の各トランジスタに接続される複数の定電流回路と、前記制御端子に入力されるパルス信号に対して前記複数の増幅回路において前記順次に増幅される高周波キャリア信号の遅延に対応した遅延を与える複数の遅延回路とを含み、前記制御端子に入力されるパルス信号のレベルに応じて前記複数の定電流回路を前記高周波キャリア信号の遅延に対応させて時間的にずらして動作状態または非動作状態とすることを特徴とする請求項１７または１８に記載の短パルスレーダ。
【請求項２３】
前記高周波電子スイッチは、前記供給電流制御回路の前記複数の定電流回路がそれぞれトランジスタによる複数の定電流回路で構成され、前記複数の定電流回路の各トランジスタのベースに前記制御端子に入力されるパルス信号が供給されるように構成したことを特徴とする請求項２２に記載の短パルスレーダ。
【請求項２４】
前記高周波電子スイッチは、前記正相信号出力端子及び前記逆相信号出力端子の間に接続され、前記正相信号入力端子及び前記逆相信号入力端子にそれぞれ前記高周波キャリア信号として正相及び逆相の高周波キャリア信号が入力されたとき、前記差動型に構成される複数の増幅回路で順次に増幅されて前記正相信号出力端子及び前記逆相信号出力端子から出力される前記高周波キャリア信号としての正相及び逆相の高周波キャリア信号を合成して出力する合成回路をさらに備えていることを特徴とする請求項１９に記載の短パルスレーダ。
【発明の詳細な説明】
【技術分野】
【０００１】  本発明は高周波電子スイッチ及びそれを用いるバースト波発生装置及びそれを用いる短パルスレーダに係り、特に、車載レーダ（ａｕｔｏｍｏｔｉｖｅ  ｒａｄａｒｓ）や視覚障害者の歩行支援用レーダ等のために割り当てられている２２〜２９ＧＨｚの準ミリ波帯（ＵＷＢ：Ｕｌｔｒａ−ｗｉｄｅｂａｎｄ）の短パルスレーダ（ｓｈｏｒｔ  ｒａｎｇｅ  ｒａｄａｒｓ）等の送信部に用いるバースト波発生装置において、そのキャリア漏れを防止するための技術を採用した高周波電子スイッチ及びそれを用いるバースト波発生装置及びそれを用いる短パルスレーダに関する。
【背景技術】
【０００２】  パルス波を用いて空間の物体を探査するパルスレーダは、基本的に図６に示す構成を有している。【０００３】  すなわち、送信部１１は、後述する制御部２０から所定周期Ｔｇで出力されるトリガ信号Ｇをパルス発生器１２で受ける。【０００４】  このパルス発生器１２は、トリガ信号Ｇに同期した所定幅のパルス信号Ｐａをバースト波発生装置１３に出力する。【０００５】  このバースト波発生装置１３は、パルス信号Ｐａが入力されている期間（例えば、パルス信号Ｐａのハイレベル期間）には、所定周波数のキャリア信号を有するバースト波Ｐｂを出力し、パルス信号Ｐａが入力されていない期間（例えば、パルス信号Ｐａのローレベル期間）には、そのキャリア信号を有するバースト波Ｐｂの出力を停止させる。【０００６】  なお、このバースト波発生装置１３の構成としては、連続的に出力される所定周波数のキャリア信号を有するバースト波をスイッチで断続する方式と、所定周波数のキャリア信号を有するバースト波を発振出力する発振器の発振動作をオン／オフ制御する方式とがある。【０００７】  このバースト波発生装置１３から出力されるバースト波Ｐｂは、電力増幅器１４で増幅されて送信アンテナ１５に供給される。【０００８】  このため、送信アンテナ１５からは、トリガ信号Ｇに同期した所定幅のパルス波Ｐｔが空間１へ放射される。【０００９】  このパルス波Ｐｔが空間１に存在する物体１ａによって反射されると、その反射波Ｐｒが、受信部１６の受信アンテナ１７で受信されて、その受信信号Ｒが検波回路１８によって検波される。【００１０】  信号処理部１９は、例えば、送信部１１のパルス発生器１２からパルス波Ｐａが送出されたタイミングを基準タイミングとして、受信部１６から出力される信号Ｈのレベル変化のタイミングや、その出力波形を求めることにより、空間１に存在する物体１ａの解析を行う。【００１１】  制御部２０は、信号処理部１９の処理結果等に基づいて、送信部１１及び受信部１６に対する所定の各種制御を行う。【００１２】  なお、このようなレーダの基本的な構成は、次の特許文献１、２に開示されている。
【特許文献１】特開平７−０１２９２１号公報
【特許文献２】特開平８−３１３６１９号公報
【００１３】  このような基本構成を有するレーダのうち、近年実用化されつつある車載用のレーダとしては、次のような二つのタイプのレーダがある。【００１４】  第１のタイプのパルスレーダは、ミリ波帯（７７ＧＨｚ）を用い、高出力で、遠距離の狭い角度範囲を探査して、衝突防止や走行制御等の高速走行時の支援を目的とするレーダである。【００１５】  第２のタイプのパルスレーダは、準ミリ波（２２〜２９ＧＨｚ）を用い、低出力で近距離の広い角度範囲を探査し、自動車の死角補助、車庫入れ補助等、低速走行時の支援を目的とする短パルスレーダである。【００１６】  この準ミリ波帯を使用するＵＷＢレーダは、車載レーダだけでなく、視覚障害者の歩行支援用レーダや近距離通信システム等にも使用される。【００１７】  広帯域であるＵＷＢレーダにおいては、例えば、幅が１ｎｓ以下の短パルスを用いることができ、距離分解能が高いレーダを実現することができる。
【発明の開示】
【００１８】  しかし、このＵＷＢレーダを実現するために、解決すべき種々の問題がある。
【００１９】  その重要な問題の一つは、送信部１１から出力されるバースト波のキャリア信号の漏れの問題である。
【００２０】  ところで、前述のように、ＵＷＢレーダでは２２〜２９ＧＨｚ帯を使用することになっているが、この帯域の中には電波天文や地球探査衛星業務（ＥＥＳＳ）のパッシブセンサを保護するためのＲＲ電波発射禁止帯（２３．６〜２４．０ＧＨｚ）が含まれている。
【００２１】  ２００２年、ＦＣＣ（米国連邦通信委員会）は、次の非特許文献１において、２２〜２９ＧＨｚに置ける平均電力密度を−４１．３ｄＢｍ以下、ビーク電力密度がＯｄＢｍ／５０ＭＨｚとする規定を公開している。
【００２２】  この規定の中には、前記ＥＥＳＳへの電波干渉を抑えるため、仰角サイドロープを数年毎に−２５ｄＢから−３５ｄＢへと低減することも併せて規定されている。
【非特許文献１】ＦＣＣ  ０２−４８  Ｎｅｗ  Ｐａｒｔ  １５  Ｒｕｌｅｓ，ＦＩＲＳＴ  ＲＥＰＯＲＴ  ＡＮＤ  ＯＲＤＥＲ
【００２３】  しかしながら、これを実現するためには、ＵＷＢレーダに用いるアンテナの垂直方向の寸法が大きくなり、一般の乗用車に搭載することが困難になることが想定される。
【００２４】  このため、ＦＣＣは、アンテナのサイドローブに頼らない方法として、２００４年に下記非特許文献２で、前記ＲＲ電波発射禁止帯の放射電力密度をこれまでより２０ｄＢ小さい−６１．３ｄＢｍ／ＭＨｚとする改定ルールを追加している。
【非特許文献２】“Ｓｅｃｏｎｄ  Ｒｅｐｏｒｔ  ａｎｄ  Ｏｒｄｅｒ  ａｎｄ  Ｓｅｃｏｎｄ  Ｍｅｍｏｒａｎｄｕｍ  Ｏｐｉｎｉｏｎ  ａｎｄ  Ｏｒｄｅｒ”ＦＣＣ  ０４−２８５，Ｄｅｃ．１６，２００４
【００２５】  従来のＵＷＢレーダは、連続発振器からの連続波（ＣＷ）を半導体スイッチでオン／オフする方式を採用している。
【００２６】  この方式では、スイッチのアイソレーションの不完全性により、大きな残留キャリアが発生するため、図７に破線で示すように、前記残留キャリアを、ドップラーレーダ用に割り当てられている２４．０５〜２４．２５ＧＨｚのＳＲＤ（Ｓｈｏｒｔ  Ｒａｎｇｅ  Ｄｅｖｉｃｅ）バンドに避難させている。
【００２７】  しかしながら、ＳＲＤパンドは前記ＲＲ電波発射禁止帯と極めて接近しており、ＥＥＳＳなどとの干渉が避けられないという深刻な問題がある。
【００２８】  従って、このＲＲ電波発射禁止帯の近傍の周波数をキャリア周波数として利用するレーダシステムとしては、水平方向にビームを絞る必要があるので、必然的に送信アンテナの縦方向の寸法が大きくなってしまい、車載用あるいは携帯利用を考えると極めて不利となる。
【００２９】  なお、前記したように、連続して出力される所定周波数のキャリア信号を有するバースト波をスイッチで断続する方式の場合、ＵＷＢレーダシステムにおいては、例えば、幅が１ｎｓ以下の狭い幅のパルスに応答できるように半導体デバイスによる高周波電子スイッチを用いる必要がある。
【００３０】  しかるに、従来の半導体デバイスによる高周波電子スイッチ（例えば、ダイオードスイッチ、アナログスイッチ等）では、オフ時のキャリア信号のリークが大きいので、上記レーダシステムとしての探査距離等が大きく制限されてしまうという問題が顕著となる。
【００３１】  また、ダイオードスイッチの場合、コイルを介してダイオードに電流を流してオン状態にする構成が多く、コイルのインダクタンスにより、例えば、幅が１ｎｓ以下の短パルスのような幅の狭いパルスに対しては良好に応答することができない。
【００３２】  これらの事情から、ＲＲ電波発射禁止帯より高い、図７に実線で示す周波数帯等でも応答速度が速くリークの少ない高周波電子スイッチ及びそれを用いるバースト波発生装置及びそれを用いる短パルスレーダの実現が強く望まれている。
【００３３】  本発明の目的は、ＲＲ電波発射禁止帯より高いＵＷＢの周波数帯等でも応答速度が速くリークの少ない高周波電子スイッチ及びそれを用いるバースト波発生装置及びそれを用いる短パルスレーダを提供することである。
【００３４】  前記目的を達成するために、本発明の第１の態様によると、
被スイッチ用の高周波信号（Ｃ）が入力される信号入力端子（３６ａ）と、
前記信号入力端子（３６ａ）に複数段カスケード接続され、それぞれ前記被スイッチ用の高周波信号（Ｃ）を順次に増幅するためのトランジスタ（Ｔｒ）による複数の増幅回路（３７Ａ、３７Ｂ、３７Ｃ）と、
前記複数の増幅回路（３７Ａ、３７Ｂ、３７Ｃ）の最終段の増幅回路（３７Ｃ）の出力部に接続され、前記順次に増幅される被スイッチ用の高周波信号（Ｃ）を出力する信号出力端子（３６ｅ）と、
スイッチング信号としての第１のレベルの期間及び第２のレベルの期間を有するパルス信号（Ｐａ）が入力される制御端子（３６ｃ）と、
前記制御端子（３６ｃ）に入力されるパルス信号（Ｐａ）が第１のレベルの期間にあるとき、前記複数の増幅回路（３７Ａ、３７Ｂ、３７Ｃ）の各トランジスタ（Ｔｒ）に作動用電流を供給して前記複数の増幅回路（３７Ａ、３７Ｂ、３７Ｃ）を増幅動作状態とし、前記パルス信号（Ｐａ）が第２のレベルの期間にあるとき、前記複数の増幅回路（３７Ａ、３７Ｂ、３７Ｃ）の各トランジスタ（Ｔｒ）に対する作動用電流の供給を停止して前記複数の増幅回路（３７Ａ、３７Ｂ、３７Ｃ）を非増幅動作状態とする供給電流制御回路（３８）とを備え、
前記制御端子（３６ｃ）に入力されるパルス信号（Ｐａ）のレベルに応じて前記信号入力端子（３６ａ）と信号出力端子（３６ｅ）との間を高周波的に開閉する高周波電子スイッチが提供される。
【００３５】  また、前記目的を達成するために、本発明の第２の態様によると、前記信号入力端子（３６ａ）として備えられ、前記被スイッチ用の高周波信号（Ｃ）として正相及び逆相の高周波信号（Ｃ、Ｃ′）の少なくとも一方が入力される正相信号入力端子（３６ａ）及び逆相信号入力端子（３６ａ′）と、
前記信号出力端子（３６ｅ）として備えられ、前記正相及び逆相の高周波信号（Ｃ、Ｃ′）の少なくとも一方が出力される正相信号出力端子（３６ｂ）及び逆相信号出力端子（３６ｂ′）とを有し、
前記正相信号入力端子（３６ａ）及び前記逆相信号入力端子（３６ａ′）と前記正相信号出力端子（３６ｂ）及び前記逆相信号出力端子（３６ｂ′）との間に複数段カスケード接続される前記複数の増幅回路（３７Ａ、３７Ｂ、３７Ｃ）をそれぞれ複数のトランジスタ（Ｔｒ１、Ｔｒ２、Ｔｒ３、Ｔｒ４）による差動型に構成したことを特徴とする第１の態様に従う高周波電子スイッチが提供される。
【００３６】  また、前記目的を達成するために、本発明の第３の態様によると、前記供給電流制御回路（３８）は、それぞれ、前記複数の増幅回路（３７Ａ、３７Ｂ、３７Ｃ）の各トランジスタ（Ｔｒ、Ｔｒ１、Ｔｒ２、Ｔｒ３、Ｔｒ４）に接続される複数の定電流回路（Ｉ１、Ｉ２、Ｉ３）を含み、前記制御端子（３６ｃ）に入力されるパルス信号（Ｐａ）のレベルに応じて前記複数の定電流回路（Ｉ１、Ｉ２、Ｉ３）を同時にまたはほぼ同時に動作状態または非動作状態とすることにより、前記複数の増幅回路（３７Ａ、３７Ｂ、３７Ｃ）を同時にまたはほぼ同時に増幅動作状態または非増幅動作状態とすることを特徴とする第１または第２の態様に従う高周波電子スイッチが提供される。
【００３７】  また、前記目的を達成するために、本発明の第４の態様によると、前記供給電流制御回路（３８）の前記複数の定電流回路（Ｉ１、Ｉ２、Ｉ３）がそれぞれトランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）による複数の定電流回路（Ｉ１、Ｉ２、Ｉ３、Ｉ１１、Ｉ１２、Ｉ１３、Ｉ１４）で構成され、前記複数の定電流回路（Ｉ１、Ｉ２、Ｉ３、Ｉ１１、Ｉ１２、Ｉ１３、Ｉ１４）の各トランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）のベースに前記制御端子（３６ｃ）に入力されるパルス信号（Ｐａ）が供給されるように構成したことを特徴とする第３の態様に従う高周波電子スイッチが提供される。
【００３８】  また、前記目的を達成するために、本発明の第５の態様によると、前記供給電流制御回路（３８）は、それぞれ、前記複数の増幅回路（３７Ａ、３７Ｂ、３７Ｃ）の各トランジスタ（Ｔｒ、Ｔｒ１、Ｔｒ２、Ｔｒ３、Ｔｒ４）に接続される複数の定電流回路（Ｉ１、Ｉ２、Ｉ３、Ｉ１１、Ｉ１２、Ｉ１３、Ｉ１４）と、前記制御端子（３６ｃ）に入力されるパルス信号（Ｐａ）に対して前記複数の増幅回路（３７Ａ、３７Ｂ、３７Ｃ）において前記順次に増幅される被スイッチ用の高周波信号（Ｃ）の遅延に対応した遅延を与える複数の遅延回路（Ｄ１、Ｄ２、Ｄ３）とを含み、前記制御端子（３６ｃ）に入力されるパルス信号（Ｐａ）のレベルに応じて前記複数の定電流回路（Ｉ１、Ｉ２、Ｉ３、Ｉ１１、Ｉ１２、Ｉ１３、Ｉ１４）を前記高周波信号（Ｃ）の遅延に対応させて時間的にずらして動作状態または非動作状態とすることを特徴とする第１または第２の態様に従う高周波電子スイッチが提供される。
【００３９】  また、前記目的を達成するために、本発明の第６の態様によると、前記供給電流制御回路（３８）の前記複数の定電流回路（Ｉ１、Ｉ２、Ｉ３）がそれぞれトランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）による複数の定電流回路（Ｉ１、Ｉ２、Ｉ３、Ｉ１１、Ｉ１２、Ｉ１３、Ｉ１４）で構成され、前記複数の定電流回路（Ｉ１、Ｉ２、Ｉ３、Ｉ１１、Ｉ１２、Ｉ１３、Ｉ１４）の各トランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）のベースに前記制御端子（３６ｃ）に入力されるパルス信号（Ｐａ）が供給されるように構成したことを特徴とする第５の態様に従う高周波電子スイッチが提供される。
【００４０】  また、前記目的を達成するために、本発明の第７の態様によると、前記正相信号出力端子（３６ｂ）及び前記逆相信号出力端子（３６ｂ′）の間に接続され、前記正相信号入力端子（３６ａ）及び前記逆相信号入力端子（３６ａ′）にそれぞれ前記被スイッチ用の高周波信号（Ｃ）として正相及び逆相の高周波信号（Ｃ，Ｃ′）が入力されたとき、前記差動型に構成される複数の増幅回路（３７Ａ、３７Ｂ、３７Ｃ）で順次に増幅されて前記正相信号出力端子（３６ｂ）及び前記逆相信号出力端子（３６ｂ′）から出力される前記被スイッチ用の高周波信号（Ｃ）として正相及び逆相の高周波信号（Ｃ、Ｃ′）を合成して出力する合成回路（３７Ｄ）をさらに備えていることを特徴とする第２の態様に従う高周波電子スイッチが提供される。
【００４１】  また、前記目的を達成するために、本発明の第８の態様によると、
高周波キャリア信号を連続的に出力するキャリア信号発生器（３５）と、
前記キャリア信号発生器（３５）から出力される前記高周波キャリア信号（Ｃ）をバースト状に出力または出力停止状態とする高周波電子スイッチ（３６）とを備え、
前記高周波電子スイッチ（３６）は、
前記高周波キャリア信号（Ｃ）を受ける信号入力端子（３６ａ）と、
前記信号入力端子（３６ａ）に複数段カスケード接続され、それぞれ前記高周波キャリア信号（Ｃ）を順次に増幅するためのトランジスタ（Ｔｒ）による複数の増幅回路（３７Ａ、３７Ｂ、３７Ｃ）と、
前記複数の増幅回路（３７Ａ、３７Ｂ、３７Ｃ）の最終段の増幅回路（３７Ｃ）の出力部に接続され、前記順次に増幅される高周波キャリア信号（Ｃ）を出力する信号出力端子（３６ｅ）と、
スイッチング信号としての第１のレベルの期間及び第２のレベルの期間を有するパルス信号（Ｐａ）が入力される制御端子（３６ｃ）と、
前記制御端子（３６ｃ）に入力されるパルス信号（Ｐａ）が第１のレベルの期間にあるとき、前記複数の増幅回路（３７Ａ、３７Ｂ、３７Ｃ）の各トランジスタ（Ｔｒ）に作動用電流を供給して前記複数の増幅回路（３７Ａ、３７Ｂ、３７Ｃ）を増幅動作状態とし、前記パルス信号（Ｐａ）が第２のレベルの期間にあるとき、前記複数の増幅回路（３７Ａ、３７Ｂ、３７Ｃ）の各トランジスタ（Ｔｒ）に対する作動用電流の供給を停止して前記複数の増幅回路（３７Ａ、３７Ｂ、３７Ｃ）を非増幅動作状態とする供給電流制御回路（３８）とを備え、
前記高周波電子スイッチ（３６）により、前記制御端子（３６ｃ）に入力されるパルス信号（Ｐａ）のレベルに応じて前記信号入力端子（３６ａ）と信号出力端子（３６ｅ）との間を高周波的に開閉して、前記高周波キャリア信号（Ｃ）をバースト状に出力または出力停止状態とするバースト波発生装置が提供される。
【００４２】  また、前記目的を達成するために、本発明の第９の態様によると、前記高周波電子スイッチ（３６）の前記信号入力端子（３６ａ）として備えられ、前記高周波キャリア信号（Ｃ）として正相及び逆相の高周波キャリア信号（Ｃ、Ｃ′）の少なくとも一方が入力される正相信号入力端子（３６ａ）及び逆相信号入力端子（３６ａ′）と、
前記高周波電子スイッチ（３６）の前記信号出力端子（３６ｅ）として備えられ、前記正相及び逆相の高周波キャリア信号（Ｃ、Ｃ′）の少なくとも一方が出力される正相信号出力端子（３６ｂ）及び逆相信号出力端子（３６ｂ′）とを有し、
前記正相信号入力端子（３６ａ）及び前記逆相信号入力端子（３６ａ′）と前記正相信号出力端子（３６ｂ）及び前記逆相信号出力端子（３６ｂ′）との間に複数段カスケード接続される前記複数の増幅回路（３７Ａ、３７Ｂ、３７Ｃ）をそれぞれ複数のトランジスタ（Ｔｒ１、Ｔｒ２、Ｔｒ３、Ｔｒ４）による差動型に構成したことを特徴とする第８の態様に従うバースト波発生装置が提供される。
【００４３】  また、前記目的を達成するために、本発明の第１０の態様によると、前記高周波電子スイッチ（３６）の前記供給電流制御回路（３８）は、それぞれ、前記複数の増幅回路（３７Ａ、３７Ｂ、３７Ｃ）の各トランジスタ（Ｔｒ、Ｔｒ１、Ｔｒ２、Ｔｒ３、Ｔｒ４）に接続される複数の定電流回路（Ｉ１、Ｉ２、Ｉ３）を含み、前記制御端子（３６ｃ）に入力されるパルス信号（Ｐａ）のレベルに応じて前記複数の定電流回路（Ｉ１、Ｉ２、Ｉ３）を同時にまたはほぼ同時に動作状態または非動作状態とすることにより、前記複数の増幅回路（３７Ａ、３７Ｂ、３７Ｃ）を同時にまたはほぼ同時に増幅動作状態または前記非増幅動作状態とすることを特徴とする第８または第９の態様に従うバースト波発生装置が提供される。
【００４４】  また、前記目的を達成するために、本発明の第１１の態様によると、前記高周波電子スイッチ（３６）は、前記供給電流制御回路（３８）の前記複数の定電流回路（Ｉ１、Ｉ２、Ｉ３）がそれぞれトランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）による複数の定電流回路（Ｉ１、Ｉ２、Ｉ３、Ｉ１１、Ｉ１２、Ｉ１３、Ｉ１４）で構成され、前記複数の定電流回路（Ｉ１、Ｉ２、Ｉ３、Ｉ１１、Ｉ１２、Ｉ１３、Ｉ１４）の各トランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）のベースに前記制御端子（３６ｃ）に入力されるパルス信号（Ｐａ）が供給されるように構成したことを特徴とする第１０の態様に従うバースト波発生装置が提供される。
【００４５】  また、前記目的を達成するために、本発明の第１２の態様によると、前記高周波電子スイッチ（３６）の前記供給電流制御回路（３８）は、それぞれ、前記複数の増幅回路（３７Ａ、３７Ｂ、３７Ｃ）の各トランジスタ（Ｔｒ、Ｔｒ１、Ｔｒ２、Ｔｒ３、Ｔｒ４）に接続される複数の定電流回路（Ｉ１、Ｉ２、Ｉ３、Ｉ１１、Ｉ１２、Ｉ１３、Ｉ１４）と、前記制御端子（３６ｃ）に入力されるパルス信号（Ｐａ）に対して前記複数の増幅回路（３７Ａ、３７Ｂ、３７Ｃ）において前記順次に増幅される高周波キャリア信号（Ｃ）の遅延に対応した遅延を与える複数の遅延回路（Ｄ１、Ｄ２、Ｄ３）とを含み、前記制御端子（３６ｃ）に入力されるパルス信号（Ｐａ）のレベルに応じて前記複数の定電流回路（Ｉ１、Ｉ２、Ｉ３）を前記高周波キャリア信号（Ｃ）の遅延に対応させて時間的にずらして動作状態または非動作状態とすることを特徴とする第８または第９の態様に従うバースト波発生装置が提供される。
【００４６】  また、前記目的を達成するために、本発明の第１３の態様によると、前記高周波電子スイッチ（３６）は、前記供給電流制御回路（３８）の前記複数の定電流回路（Ｉ１、Ｉ２、Ｉ３）がそれぞれトランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）による複数の定電流回路（Ｉ１、Ｉ２、Ｉ３、Ｉ１１、Ｉ１２、Ｉ１３、Ｉ１４）で構成され、前記複数の定電流回路（Ｉ１、Ｉ２、Ｉ３、Ｉ１１、Ｉ１２、Ｉ１３、Ｉ１４）の各トランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）のベースに前記制御端子（３６ｃ）に入力されるパルス信号（Ｐａ）が供給されるように構成したことを特徴とする第１２の態様に従うバースト波発生装置が提供される。
【００４７】  また、前記目的を達成するために、本発明の第１４の態様によると、前記高周波電子スイッチ（３６）は、前記正相信号出力端子（３６ｂ）及び前記逆相信号出力端子（３６ｂ′）の間に接続され、前記正相信号入力端子（３６ａ）及び前記逆相信号入力端子（３６ａ′）にそれぞれ前記高周波キャリア信号（Ｃ）として正相及び逆相の高周波信号（Ｃ、Ｃ′）が入力されたとき、前記差動型に構成される複数の増幅回路（３７Ａ、３７Ｂ、３７Ｃ）で順次に増幅されて前記正相信号出力端子（３６ｂ）及び前記逆相信号出力端子（３６ｂ′）から出力される前記高周波キャリア信号（Ｃ）として正相及び逆相の高周波キャリア信号（Ｃ、Ｃ′）を合成して出力する合成回路（３７Ｄ）をさらに備えていることを特徴とする第９の態様に従うバースト波発生装置が提供される。
【００４８】  また、前記目的を達成するために、本発明の第１５の態様によると、
送信トリガ信号（Ｇ）を受ける毎に、所定幅の短パルス波（Ｐｔ）を空間（１）へ放射するために、高周波キャリア信号を連続的に出力するキャリア信号発生器（３５）及び該キャリア信号発生器（３５）から出力される前記高周波キャリア信号（Ｃ）をバースト状に出力または出力停止状態とする高周波電子スイッチ（３６）とを含むバースト波発生装置（３４）を有する送信部（３１）と、
前記短パルス波（Ｐｔ）の反射波（Ｐｒ）に対する受信検波処理を行う受信部（４０）と、
前記受信部（４０）からの出力に基づいて、前記空間（１）に存在する物体（１ａ）の解析処理を行う信号処理部（５０）と、
前記信号処理部（５０）からの解析結果に基づいて、前記送信部（３１）及び前記受信部（４０）の少なくとも一方に対して所定の制御を行う制御部（６０）とを具備し、
前記バースト波発生装置（３４）の高周波電子スイッチ（３６）は、
前記高周波キャリア信号（Ｃ）を受ける信号入力端子（３６ａ）と、
前記信号入力端子（３６ａ）に複数段カスケード接続され、それぞれ前記高周波キャリア信号を順次に増幅するためのトランジスタ（Ｔｒ）による複数の増幅回路（３７Ａ、３７Ｂ、３７Ｃ）と、
前記複数の増幅回路（３７Ａ、３７Ｂ、３７Ｃ）の最終段の増幅回路（３７Ｃ）の出力部に接続され、前記順次に増幅される高周波キャリア信号（Ｃ）を出力する信号出力端子（３６ｅ）と、
スイッチング信号としての第１のレベルの期間及び第２のレベルの期間を有するパルス信号（Ｐａ）が入力される制御端子（３６ｃ）と、
前記制御端子（３６ｃ）に入力されるパルス信号（Ｐａ）が第１のレベルの期間にあるとき、前記複数の増幅回路（３７Ａ、３７Ｂ、３７Ｃ）の各トランジスタ（Ｔｒ）に作動用電流を供給して前記複数の増幅回路（３７Ａ、３７Ｂ、３７Ｃ）を増幅動作状態とし、前記パルス信号（Ｐａ）が第２のレベルの期間にあるとき、前記複数の増幅回路（３７Ａ、３７Ｂ、３７Ｃ）の各トランジスタ（Ｔｒ）に対する作動用電流の供給を停止して前記複数の増幅回路（３７Ａ、３７Ｂ、３７Ｃ）を非増幅動作状態とする供給電流制御回路（３８）とを備え、
前記高周波電子スイッチ（３６）により、前記制御端子（３６ｃ）に入力されるパルス信号（Ｐａ）のレベルに応じて前記信号入力端子（３６ａ）と前記信号出力端子（３６ｅ）との間を高周波的に開閉して、前記高周波キャリア信号（Ｃ）をバースト状に出力または出力停止状態とする短パルスレーダが提供される。
【００４９】  また、前記目的を達成するために、本発明の第１６の態様によると、前記高周波電子スイッチ（３６）の前記信号入力端子（３６ａ）として備えられ、前記高周波キャリア信号（Ｃ）として正相及び逆相の高周波キャリア信号（Ｃ、Ｃ′）の少なくとも一方が入力される正相信号入力端子（３６ａ）及び逆相信号入力端子（３６ａ′）と、
前記高周波電子スイッチ（３６）の前記信号出力端子（３６ｅ）として備えられ、前記正相及び逆相の高周波キャリア信号（Ｃ、Ｃ′）の少なくとも一方が出力される正相信号出力端子（３６ｂ）及び逆相信号出力端子（３６ｂ′）とを有し、
前記正相信号入力端子（３６ａ）及び前記逆相信号入力端子（３６ａ′）と前記正相信号出力端子（３６ｂ）及び前記逆相信号出力端子（３６ｂ′）との間に複数段カスケード接続される前記複数の増幅回路（３７Ａ、３７Ｂ、３７Ｃ）をそれぞれ複数のトランジスタ（Ｔｒ１、Ｔｒ２、Ｔｒ３、Ｔｒ４）による差動型に構成したことを特徴とする第１５の態様に従う短パルスレーダが提供される。
【００５０】  また、前記目的を達成するために、本発明の第１７の態様によると、前記高周波電子スイッチ（３６）の前記供給電流制御回路（３８）は、それぞれ、前記複数の増幅回路（３７Ａ、３７Ｂ、３７Ｃ）の各トランジスタ（Ｔｒ、Ｔｒ１、Ｔｒ２、Ｔｒ３、Ｔｒ４）に接続される複数の定電流回路（Ｉ１、Ｉ２、Ｉ３、Ｉ１１、Ｉ１２、Ｉ１３、Ｉ１４）を含み、前記制御端子（３６ｃ）に入力されるパルス信号（Ｐａ）のレベルに応じて前記複数の定電流回路（Ｉ１、Ｉ２、Ｉ３、Ｉ１１、Ｉ１２、Ｉ１３、Ｉ１４）を同時にまたはほぼ同時に動作状態または非動作状態とすることにより、前記複数の増幅回路（３７Ａ、３７Ｂ、３７Ｃ）を同時にまたはほぼ同時に増幅動作状態または非増幅動作状態とすることを特徴とする第１５または第１６の態様に従う短パルスレーダが提供される。
【００５１】  また、前記目的を達成するために、本発明の第１８の態様によると、前記高周波電子スイッチ（３６）は、前記供給電流制御回路（３８）の前記複数の定電流回路（Ｉ１、Ｉ２、Ｉ３）がそれぞれトランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）による複数の定電流回路（Ｉ１、Ｉ２、Ｉ３、Ｉ１１、Ｉ１２、Ｉ１３、Ｉ１４）で構成され、前記複数の定電流回路（Ｉ１、Ｉ２、Ｉ３、Ｉ１１、Ｉ１２、Ｉ１３、Ｉ１４）の各トランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）のベースに前記制御端子（３６ｃ）に入力されるパルス信号（Ｐａ）が供給されるように構成したことを特徴とする第１７の態様に従う短パルスレーダが提供される。
【００５２】  また、前記目的を達成するために、本発明の第１９の態様によると、前記高周波電子スイッチ（３６）の前記供給電流制御回路（３８）は、それぞれ、前記複数の増幅回路（３７Ａ、３７Ｂ、３７Ｃ）の各トランジスタに接続される複数の定電流回路（Ｉ１、Ｉ２、Ｉ３）と、前記制御端子（３６ｃ）に入力されるパルス信号（Ｐａ）に対して前記複数の増幅回路（３７Ａ、３７Ｂ、３７Ｃ）において前記順次に増幅される高周波キャリア信号（Ｃ）の遅延に対応した遅延を与える複数の遅延回路（Ｄ１、Ｄ２、Ｄ３）とを含み、前記制御端子（３６ｃ）に入力されるパルス信号（Ｐａ）のレベルに応じて前記複数の定電流回路（Ｉ１、Ｉ２、Ｉ３）を前記高周波キャリア信号（Ｃ）の遅延に対応させて時間的にずらして動作状態または非動作状態とすることを特徴とする第１５または第１６の態様に従う短パルスレーダが提供される。
【００５３】  また、前記目的を達成するために、本発明の第２０の態様によると、前記高周波電子スイッチ（３６）は、前記供給電流制御回路（３８）の前記複数の定電流回路（Ｉ１、Ｉ２、Ｉ３）がそれぞれトランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）による複数の定電流回路（Ｉ１、Ｉ２、Ｉ３、Ｉ１１、Ｉ１２、Ｉ１３、Ｉ１４）で構成され、前記複数の定電流回路（Ｉ１、Ｉ２、Ｉ３、Ｉ１１、Ｉ１２、Ｉ１３、Ｉ１４）の各トランジスタ（Ｑ、Ｔｒ１１、Ｔｒ１２、Ｔｒ１３、Ｔｒ１４、Ｔｒ２１、Ｔｒ２２、Ｔｒ２３、Ｔｒ２４）のベースに前記制御端子（３６ｃ）に入力されるパルス信号（Ｐａ）が供給されるように構成したことを特徴とする第１９の態様に従う短パルスレーダが提供される。
【００５４】  また、前記目的を達成するために、本発明の第２１の態様によると、前記正相信号出力端子（３６ｂ）及び前記逆相信号出力端子（３６ｂ′）の間に接続され、前記正相信号入力端子（３６ａ）及び前記逆相信号入力端子（３６ａ′）にそれぞれ前記高周波キャリア信号（Ｃ）として正相及び逆相の高周波キャリア信号（Ｃ、Ｃ′）が入力されたとき、前記差動型に構成される複数の増幅回路（３７Ａ、３７Ｂ、３７Ｃ）で順次に増幅されて前記正相信号出力端子（３６ｂ）及び前記逆相信号出力端子（３６ｂ′）から出力される前記高周波信号（Ｃ）として正相及び逆相の高周波キャリア信号（Ｃ、Ｃ′）を合成して出力する合成回路（３７Ｄ）をさらに備えていることを特徴とする第１６の態様に従う短パルスレーダが提供される。
【００５５】  このように、本発明の高周波電子スイッチ３６は、作動電流の供給制御が可能なトランジスタによる複数の増幅回路３７Ａ、３７Ｂ、３７Ｃが、信号入力端子３６ａと信号出力端子３６ｅとの間に複数段カスケード接続されて構成されているので、複数段分のアイソレーションを得ることができ、ＲＲ電波発射禁止帯より高いＵＷＢの周波数帯等においてもオフ時の高周波キャリア信号のリークを十分に抑制することができる。
【００５６】  また、この高周波電子スイッチ３６をバースト波発生装置３４に用いると、キャリア漏れを防ぐことができ、レーダシステム３０に用いると、その送信パルスの電力を有効に使用することができる。
【００５７】  また、各増幅回路３７Ａ、３７Ｂ、３７Ｃを差動型に構成した高周波電子スイッチ３６では、各増幅回路３７Ａ、３７Ｂ、３７Ｃが差動型に構成されていることにより、各増幅回路３７Ａ、３７Ｂ、３７Ｃでのオフ時のリーク成分に対するキャンセル効果によってより高いアイソレーションが得られるので、リークをさらに効果的に抑制することができるようになる。
【００５８】  従って、この差動型に構成した高周波電子スイッチ３６をバースト波発生装置３４に用いると、キャリア漏れをさらに防ぐことができ、レーダシステム３０に用いると、リークをさらに効果的に抑制することができる分だけ、その送信パルスの電力をさらに有効に使用することができる。
【図面の簡単な説明】
【００５９】
【図１】図１は、本発明の実施形態として適用される短パルスレーダ３０の構成を示すブロック図である。
【図２Ａ】図２Ａは、図１の実施形態の要部の構成として高周波電子スイッチの回路構成を例示するブロック図である。
【図２Ｂ】図２Ｂは、図１の実施形態の要部の構成として高周波電子スイッチの回路構成の変形例を示すブロック図である。
【図３Ａ】図３Ａは、図１の実施形態の要部の構成として高周波電子スイッチの具体例を示す回路図である。
【図３Ｂ】図３Ｂは、図１の実施形態の要部の構成として高周波電子スイッチのより詳細な具体例を示す回路図である。
【図４】図４は、図３Ａ，Ｂの実施例において、差動入力時の高周波電子スイッチのオンオフ特性のシミュレーション結果を示す図である。
【図５】図５は、図３Ａ，Ｂの実施例において、シングル入力時の高周波電子スイッチのオンオフ特性のシミュレーション結果を示す図である。
【図６】図６は、従来のパルスレーダの基本構成を示すブロック図である。
【図７】図７は、準ミリ波帯ＵＷＢのスペクトラムマスクと望ましい使用周波数帯を示す図である。
【発明を実施するための最良の形態】
【００６０】  以下、図面に基づいて本発明の実施の形態を説明する。【００６１】  図１は、本発明が適用される短パルスレーダ３０のブロック構成を示している。【００６２】  この短パルスレーダ３０は、送信部３１、受信部４０、信号処理部５０及び制御部６０によって構成されている。【００６３】  送信部３１は、制御部６０から所定周期Ｔｇで出力されるトリガ信号Ｇを受ける毎に、所定幅Ｔｐ（例えば、１ｎｓ）で所定キャリア周波数Ｆｃ（例えば、２６ＧＨｚ）の短パルス波Ｐｔを生成して送信アンテナ３２から空間１へ放射する。【００６４】  なお、送信アンテナ３２は、後述する受信アンテナ４１と共用される場合もある。【００６５】  この送信部３１は、図１に示しているように、制御部６０からのトリガ信号Ｇに同期した幅Ｔｐのパルス信号Ｐａを発生するパルス発生器３３と、このパルス発生器３３からのパルス信号Ｐａを受けている間Ｔｐだけキャリア周波数Ｆｃのキャリア信号をバースト状に出力するバースト波発生装置３４と、このバースト波発生装置３４から出力されるバースト波を増幅して送信アンテナ３２に供給する電力増幅器３９とを有している。【００６６】  バースト波発生装置３４は、周波数Ｆｃのキャリア信号Ｃを連続的に出力するキャリア信号発生器３５と、このキャリア信号発生器３５からのキャリア信号Ｃを信号入力端子３６ａで受けると共に、前記パルス発生器３３からのパルス信号Ｐａを制御端子３６ｃで受けることにより、パルス信号Ｐａのレベルに応じて信号入力端子３６ａと信号出力端子３６ｅとの間を高周波的に開閉する高周波電子スイッチ３６（詳細は後述される）とによって構成されている。【００６７】  すなわち、このバースト波発生装置３４は、高周波電子スイッチ３６の制御端子３６ｃに対して、パルス発生器３３からのパルス信号Ｐａが入力されている期間（例えば、パルス信号Ｐａのハイレベル：第１のレベル期間）には、所定周波数のキャリア信号を有するバースト波Ｐｂを出力し、パルス信号Ｐａが入力されていない期間（例えば、パルス信号Ｐａのローレベル：第２のレベル期間）には、そのキャリア信号を有するバースト波Ｐｂの出力を停止させる。【００６８】  図２Ａは、図１の実施形態の要部の構成として高周波電子スイッチ３６の回路構成を例示するブロック図である。【００６９】  すなわち、図２Ａに示す高周波電子スイッチ３６は、それぞれ、高周波のキャリア信号Ｃを順次に増幅するためのトランジスタＴｒを有し、信号入力端子３６ａと信号出力端子３６ｅとの間に複数段（ここでは３段）カスケード接続された複数の増幅回路３７Ａ、３７Ｂ、３７Ｃと、この複数の増幅回路３７Ａ、３７Ｂ、３７Ｃの各トランジスタＴｒが作動するために必要な電流を供給し、且つその電流供給を制御端子３６ｃから入力されるパルス信号Ｐａに基づいて制御する供給電流制御回路３８とにより構成されている。【００７０】  この供給電流制御回路３８は、それぞれ、複数の増幅回路３７Ａ、３７Ｂ、３７Ｃの各トランジスタＴｒに接続されて、当該複数の増幅回路３７Ａ、３７Ｂ、３７Ｃの各トランジスタＴｒに作動用の電流（バイアス電流）をそれぞれ供給するオンオフ可能な複数の定電流Ｉ１、Ｉ２、Ｉ３を有し、制御��子３６ｃから入力されるパルス信号Ｐａをそれらの定電流回路Ｉ１、Ｉ２、Ｉ３に与えて該パルス信号Ｐａのレベルに応じて前記複数の定電流回路Ｉ１、Ｉ２、Ｉ３を同時にまたはほぼ同時に動作状態または非動作状態とする。【００７１】  これにより、高周波電子スイッチ３６は、複数の増幅回路３７Ａ、３７Ｂ、３７Ｃの各トランジスタＴｒを同時にまたはほぼ同時にオンオフさせて、当該複数の増幅回路３７Ａ、３７Ｂ、３７Ｃを同時にまたはほぼ同時に増幅動作状態または非増幅動作状態とすることにより、キャリア信号Ｃを断続させている。【００７２】  すなわち、この高周波電子スイッチ３６は、信号入力端子３６ａから入力されるキャリア信号Ｃを複数の増幅回路３７Ａ、３７Ｂ、３７Ｃの初段の増幅回路３７Ａで受けると共に、当該高周波電子スイッチ３６が作動（オン動作）状態であれば、入力されたキャリア信号Ｃを初段の増幅回路３７Ａで反転増幅して、次段の増幅回路３７Ｂに出力する。【００７３】  また、次段の増幅回路３７Ｂは、初段の増幅回路３７Ａで増幅されたキャリア信号Ｃが入力されると共に、当該高周波電子スイッチ３６が作動（オン動作）状態であれば、入力されたキャリア信号Ｃを反転増幅して、最終段の増幅回路３７Ｃに出力する。【００７４】  そして、最終段の増幅回路３７Ｃは、次段の増幅回路３７Ｂで増幅されたキャリア信号Ｃが入力されると共に、当該高周波電子スイッチ３６が作動（オン動作）状態であれば、入力されたキャリア信号Ｃを反転増幅して、信号出力端子３６ｅに出力する。【００７５】  ここで、複数の増幅回路３７Ａ、３７Ｂ、３７Ｃの各トランジスタＴｒの作動用電流（バイアス電流）は、当該高周波電子スイッチ３６を作動（オン動作）状態とするために、各トランジスタＴｒに接続されている供給電流制御回路３８の定電流回路Ｉ１、Ｉ２、Ｉ３によって供給される。【００７６】  これら定電流回路Ｉ１、Ｉ２、Ｉ３は、それぞれオンオフ動作可能なトランジスタ（Ｑ）で構成されている（図２Ｂ参照）。【００７７】  そして、制御端子３６ｃからバッファ３８ａを介して定電流回路Ｉ１、Ｉ２、Ｉ３の各トランジスタは、それらのベースに入力されるパルス信号Ｐａがハイレベル（第１のレベル）の期間においてはオン（動作）状態となる。【００７８】  これにより、複数の増幅回路３７Ａ、３７Ｂ、３７Ｃは、それらの各トランジスタＴｒに作動用電流が供給されて増幅動作状態となされることにより、当該高周波電子スイッチ３６が作動（オン動作）状態となって信号入力端子３６ａと信号出力端子３６ｅとの間を高周波的に閉じて、複数の増幅回路３７Ａ、３７Ｂ、３７Ｃにより順次に増幅されたキャリア信号Ｃを通過させる。【００７９】  また、定電流回路Ｉ１、Ｉ２、Ｉ３の各トランジスタは、パルス信号Ｐａがローレベル（第２のレベル）の期間においてはオフ（非動作）状態となる。【００８０】  これにより、複数の増幅回路３７Ａ、３７Ｂ、３７Ｃは、それらの各トランジスタＴｒに対する作動用電流の供給が停止されて非増幅動作状態となることにより、当該高周波電子スイッチ３６が非作動（オフ動作）状態となって信号入力端子３６ａと信号出力端子３６ｅとの間が高周波的に開いて、すなわち、アイソレーションされることにより、キャリア信号Ｃの通過が阻止される。【００８１】  従って、高周波電子スイッチ３６が非作動（オフ動作）状態である期間では、キャリア信号Ｃのリークを効果的に抑圧することができる。【００８２】  この場合、高周波電子スイッチ３６は、作動電流の供給制御が可能なトランジスタＴｒによる複数の増幅回路３７Ａ、３７Ｂ、３７Ｃが、信号入力端子３６ａと信号出力端子３６ｅとの間に複数段カスケード接続されて構成されているので、複数段分のアイソレーションを得ることができ、前述したＲＲ電波発射禁止帯より高いＵＷＢの周波数帯等においてもオフ時の高周波キャリア信号のリークを十分に抑制することができる。【００８３】  すなわち、図２Ａに示す高周波電子スイッチ３６は、基本的には、被スイッチ用の高周波信号Ｃが入力される信号入力端子３６ａと、前記信号入力端子３６ａに複数段カスケード接続され、それぞれ前記被スイッチ用の高周波信号を順次に増幅するためのトランジスタＴｒによる複数の増幅回路３７Ａ、３７Ｂ、３７Ｃと、前記複数の増幅回路３７Ａ、３７Ｂ、３７Ｃの最終段の増幅回路３７Ｃの出力部に接続され、前記順次に増幅される被スイッチ用の高周波信号Ｐｂを出力する信号出力端子３６ｅと、スイッチング信号としての第１のレベルの期間及び第２のレベルの期間を有するパルス信号Ｐａが入力される制御端子３６ｃと、前記制御端子３６ｃに入力されるパルス信号Ｐａが第１のレベルの期間にあるとき、前記複数の増幅回路３７Ａ、３７Ｂ、３７Ｃの各トランジスタＴｒに作動用電流を供給して前記複数の増幅回路３７Ａ、３７Ｂ、３７Ｃを増幅動作状態とし、前記パルス信号Ｐａが第２のレベルの期間にあるとき、前記複数の増幅回路３７Ａ、３７Ｂ、３７Ｃの各トランジスタＴｒに対する作動用電流の供給を停止して前記複数の増幅回路３７Ａ、３７Ｂ、３７Ｃを非増幅動作状態とする供給電流制御回路３８とを備え、前記制御端子３６ｃに入力されるパルス信号Ｐａのレベルに応じて前記信号入力端子３６ａと信号出力端子３６ｅとの間を高周波的に開閉することを特徴としている。【００８４】  また、図２Ａに示す高周波電子スイッチ３６は、より好ましくは、前記供給電流制御回路３８が、それぞれ、前記複数の増幅回路３７Ａ、３７Ｂ、３７Ｃの各トランジスタＴｒに接続される複数の定電流回路Ｉ１、Ｉ２、Ｉ３を含み、前記制御端子３６ｃに入力されるパルス信号Ｐａのレベルに応じて前記複数の定電流回路Ｉ１、Ｉ２、Ｉ３を同時にまたはほぼ同時に動作状態または非動作状態とすることにより、前記複数の増幅回路３７Ａ、３７Ｂ、３７Ｃを同時にまたはほぼ同時に増幅動作状態または非増幅動作状態とすることを特徴としている。【００８５】  図２Ｂは、図１の実施形態の要部の構成として高周波電子スイッチ３６の回路構成の変形例を示すブロック図である。【００８６】  図２Ｂに示す高周波電子スイッチ３６は、それぞれ、高周波のキャリア信号Ｃを増幅するためのトランジスタＴｒを有し、信号入力端子３６ａと信号出力端子３６ｅとの間に複数段（ここでは３段）カスケード接続された複数の増幅回路３７Ａ、３７Ｂ、３７Ｃと、この複数の増幅回路３７Ａ、３７Ｂ、３７Ｃの各トランジスタＴｒが作動するために必要な電流を供給し、且つその電流供給を制御端子３６ｃから入力されるパルス信号Ｐａに基づいて制御する供給電流制御回路３８′とにより構成されている。【００８７】  この供給電流制御回路３８′は、それぞれ、複数の増幅回路３７Ａ、３７Ｂ、３７Ｃの各トランジスタＴｒに接続されて、当該複数の増幅回路３７Ａ、３７Ｂ、３７Ｃの各トランジスタＴｒに作動用の電流（バイアス電流）を供給するそれぞれオンオフ動作可能なトランジスタＱで構成されている複数の定電流回路Ｉ１、Ｉ２、Ｉ３と、制御端子３６ｃに入力されるパルス信号Ｐａに対して複数の増幅回路３７Ａ、３７Ｂ、３７Ｃにおいて前記順次に増幅される高周波キャリア信号の遅延に対応した遅延を与える複数の遅延回路Ｄ１、Ｄ２、Ｄ３とを含み、制御端子３６ｃに入力されるパルス信号Ｐａのレベルに応じて複数の定電流回路Ｉ１、Ｉ２、Ｉ３を高周波キャリア信号の遅延に対応させて時間的にずらして動作状態または非動作状態とする。【００８８】  これにより、高周波電子スイッチ３６は、複数の増幅回路３７Ａ、３７Ｂ、３７Ｃの各トランジスタＴｒを高周波キャリア信号の遅延に対応させて時間的にずらしてオンオフさせて、当該複数の増幅回路３７Ａ、３７Ｂ、３７Ｃを高周波キャリア信号の遅延に対応させて時間的にずらして増幅動作状態または非増幅動作状態とすることにより、キャリア信号Ｃを断続させている。【００８９】  これにより、前述した図２Ａの高周波電子スイッチ３６のように制御端子３６ｃに入力されるパルス信号のレベルに応じて前記複数の定電流回路Ｉ１、Ｉ２、Ｉ３を同時にまたはほぼ同時に動作状態または非動作状態とする場合において、信号出力端子３６ｅから出力されるキャリア信号Ｃの立ち上がり及び立ち下がり部分で生じがちな波形歪みを効果的に抑圧することができる。【００９０】  すなわち、図２Ｂに示す高周波電子スイッチ３６は、基本的には、被スイッチ用の高周波信号Ｃが入力される信号入力端子３６ａと、前記信号入力端子３６ａに複数段カスケード接続され、それぞれ前記被スイッチ用の高周波信号を順次に増幅するためのトランジスタＴｒによる複数の増幅回路３７Ａ、３７Ｂ、３７Ｃと、前記複数の増幅回路３７Ａ、３７Ｂ、３７Ｃの最終段の増幅回路３７Ｃの出力部に接続され、前記順次に増幅される被スイッチ用の高周波信号Ｐｂを出力する信号出力端子３６ｅと、スイッチング信号としての第１のレベルの期間及び第２のレベルの期間を有するパルス信号Ｐａが入力される制御端子３６ｃと、前記制御端子３６ｃに入力されるパルス信号Ｐａが第１のレベルの期間にあるとき、前記複数の増幅回路３７Ａ、３７Ｂ、３７Ｃの各トランジスタＴｒに作動用電流を供給して前記複数の増幅回路３７Ａ、３７Ｂ、３７Ｃを増幅動作状態とし、前記パルス信号Ｐａが第２のレベルの期間にあるとき、前記複数の増幅回路３７Ａ、３７Ｂ、３７Ｃの各トランジスタＴｒに対する作動用電流の供給を停止して前記複数の増幅回路３７Ａ、３７Ｂ、３７Ｃを非増幅動作状態とする供給電流制御回路３８′とを備え、前記制御端子３６ｃに入力されるパルス信号Ｐａのレベルに応じて前記信号入力端子３６ａと信号出力端子３６ｅとの間を高周波的に開閉することを特徴として���る。【００９１】  また、図２Ｂに示す高周波電子スイッチ３６は、より好ましくは、前記供給電流制御回路３８′が、それぞれ、前記複数の増幅回路３７Ａ、３７Ｂ、３７Ｃの各トランジスタＴｒに接続される複数の定電流回路Ｉ１、Ｉ２、Ｉ３と、前記制御端子３６ｃに入力されるパルス信号Ｐａに対して前記複数の増幅回路３７Ａ、３７Ｂ、３７Ｃにおいて前記順次に増幅される被スイッチ用の高周波信号Ｃの遅延に対応した遅延を与える複数の遅延回路Ｄ１、Ｄ２、Ｄ３とを含み、前記制御端子３６ｃに入力されるパルス信号Ｐａのレベルに応じて前記複数の定電流回路Ｉ１、Ｉ２、Ｉ３を前記高周波信号Ｃの遅延に対応させて時間的にずらして動作状態または非動作状態とすることを特徴としている。【００９２】  以上のように、図２Ａ、Ｂに示す高周波電子スイッチ３６は、パルス信号Ｐａに基づいて作動電流の供給がオンオフ制御されるトランジスタによる複数の増幅回路３７Ａ、３７Ｂ、３７Ｃをカスケード接続した構成であるので、オフ状態におけるキャリア信号のリークを、複数の増幅回路３７Ａ、３７Ｂ、３７Ｃの段数分だけ効果的に抑圧することができる。【００９３】  図３Ａは、高周波電子スイッチ３６の複数の増幅回路３７Ａ、３７Ｂ、３７Ｃのより具体的な構成を示す図である。【００９４】  この図３Ａにおける高周波電子スイッチ３６は、キャリア信号発生器３５から出力される互いに位相が反転した正相及び逆相のキャリア信号Ｃ、Ｃ′を正相信号入力端子３６ａ及び逆相信号入力端子３６ａ′で受けると共に、当該高周波電子スイッチ３６のオン動作時に、これらの正相及び逆相のキャリア信号Ｃ、Ｃ′をそれぞれ複数のトランジスタＴｒ１、Ｔｒ２、Ｔｒ３、Ｔｒ４による差動型に構成されている複数の増幅回路３７Ａ、３７Ｂ、３７Ｃで順次に増幅して、正相及び逆相のバースト波Ｐｂ、Ｐｂ′を正相信号出力端子３６ｂ及び逆相信号出力端子３６ｂ′から出力するように構成されている。【００９５】  この場合、高周波電子スイッチ３６は、差動型に構成される複数の増幅回路３７Ａ、３７Ｂ、３７Ｃの最終段の増幅回路３７Ｃの正相出力部及び逆相出力部すなわち正相信号出力端子３６ｂ及び逆相信号出力端子３６ｂ′との間に接続され、前記正相信号出力端子３６ｂ及び逆相信号出力端子３６ｂ′から出力される前記順次に増幅されて出力される正相及び逆相のバースト波Ｐｂ、Ｐｂ′を合成して信号出力端子３６ｅから出力させる合成回路３７Ｄを備えている。【００９６】  この合成回路３７Ｄとしては、バラン（ｂａｌｕｎ）回路による集中定数回路あるいはマイクロストリップラインによる分布定数回路等を用いることができる。【００９７】  これにより、図１の電力増幅器３９には、高周波電子スイッチ３６内で、差動型に構成される複数の増幅回路３７Ａ、３７Ｂ、３７Ｃの最終段の増幅回路３７Ｃの正相出力部及び逆相出力部を介して正相信号出力端子３６ｂ及び逆相信号出力端子３６ｂ′から出力される互いに位相が反転した正相及び逆相のバースト波Ｐｂ、Ｐｂ′が合成回路３７Ｄによって差動合成されたバースト波Ｐｂ（すなわち、振幅が２倍に増加した成分）が信号出力端子３６ｅから入力されることになる。【００９８】  従って、この場合、電力増幅器３９には、振幅が２倍に増加したバースト波Ｐｂが入力されるので、電力増幅器３９の増幅度をその分だけ低減することができる。【００９９】  図３Ａに示しているように、高周波電子スイッチ３６内で、差動型に構成される複数の増幅回路３７Ａ、３７Ｂ、３７Ｃは、それぞれ、互いに位相が反転する入力信号をトランジスタＴｒ１、Ｔｒ３によるエミッタフォロアで受けると共に、そのトランジスタＴｒ１、Ｔｒ３によるエミッタフォロアからの出力を、差動接続された２つのトランジスタＴｒ２、Ｔｒ４によりそれぞれ反転増幅（小振幅に対する増幅度は数ｄＢ）して出力するように構成されている。【０１００】  なお、図３Ａにおいて、参照符号Ｒａは入力整合用抵抗（例えば、５０Ω）、参照符号ＲＬは負荷抵抗（例えば、５０Ω）である。【０１０１】  また、参照符号Ｃｋは、トランジスタＴｒ２、Ｔｒ４の両エミッタ間を高周波的に接続するコンデンサであり、この実施形態の場合、信号周波数がＧＨｚ帯と高いので、１ｐＦあるいはそれ以下の容量値のコンデンサが用いられる。【０１０２】  また、高周波電子スイッチ３６により低周波成分も含めてオンオフする場合には、コンデンサＣｋの容量を大きくするか、あるいはコンデンサを用いずにトランジスタＴｒ２、Ｔｒ４のエミッタ間を直結して、直流成分から増幅できるように構成してもよい。【０１０３】  この高周波電子スイッチ３６は、正相信号入力端子３６ａ及び逆相信号入力端子３６ａ′から入力される正相及び逆相のキャリア信号Ｃ、Ｃ′を、差動型に構成される複数の増幅回路３７Ａ、３７Ｂ、３７Ｃの初段の増幅回路３７Ａで受けると共に、当該高周波電子スイッチ３６が作動（オン動作）状態であれば入力された正相及び逆相のキャリア信号Ｃ、Ｃ′を初段の増幅回路３７Ａで反転増幅して次段の増幅回路３７Ｂに出力する。【０１０４】  また、次段の増幅回路３７Ｂは、初段の増幅回路３７Ａで増幅されたキャリア信号Ｃ、Ｃ′が入力されると共に、当該高周波電子スイッチ３６が作動（オン動作）状態であれば入力された正相及び逆相のキャリア信号Ｃ、Ｃ′を反転増幅して最終段の増幅回路３７Ｃに出力する。【０１０５】  そして、最終段の増幅回路３７Ｃは、次段の増幅回路３７Ｂで増幅されたキャリア信号Ｃ、Ｃ′が入力されると共に、当該高周波電子スイッチ３６が作動（オン動作）状態であれば入力された正相及び逆相のキャリア信号Ｃ、Ｃ′を反転増幅して、正相信号出力端子３６ｂ及び逆相信号出力端子３６ｂ′に出力する。【０１０６】  それぞれ差動型に構成される複数の増幅回路３７Ａ、３７Ｂ、３７Ｃの各トランジスタＴｒ１、Ｔｒ２、Ｔｒ３、Ｔｒ４の作動用電流（バイアス電流）は、複数の増幅回路３７Ａ、３７Ｂ、３７Ｃ毎の各トランジスタＴｒ１、Ｔｒ２、Ｔｒ３、Ｔｒ４に接続されている供給電流制御回路３８の各定電流回路Ｉ１、Ｉ２、Ｉ３によって供給される。【０１０７】  この場合、供給電流制御回路３８の各定電流回路Ｉ１、Ｉ２、Ｉ３には、それぞれ、複数の増幅回路３７Ａ、３７Ｂ、３７Ｃ毎の各トランジスタＴｒ１、Ｔｒ２、Ｔｒ３、Ｔｒ４と各負バイアス電源Ｖｅとの間に接続される４つの定電流回路Ｉ１１、Ｉ１２、Ｉ１３、Ｉ１４が備えられている。【０１０８】  図３Ｂは、図１の実施形態の要部の構成として高周波電子スイッチ３６のより詳細な具体例を示す回路図である。【０１０９】  なお、図３Ｂにおいて、前述した図３Ａに示す高周波電子スイッチ３６と同一の部分には同一の参照符号を付して、それらの説明を省略するものとする。【０１１０】  図３Ｂに示す高周波電子スイッチ３６においては、それぞれ差動型に構成される複数の増幅回路３７Ａ、３７Ｂ、３７Ｃの各トランジスタＴｒ１、Ｔｒ２、Ｔｒ３、Ｔｒ４に接続される各定電流回路Ｉ１、Ｉ２、Ｉ３に備えられている４つの定電流回路Ｉ１１、Ｉ１２、Ｉ１３、Ｉ１４のうち図示下部の２つの定電流回路Ｉ１１、Ｉ１２が、それぞれオンオフ動作可能なトランジスタＴｒ１１、Ｔｒ１２、Ｔｒ１３、Ｔｒ１４で構成されている。【０１１１】  また、図示上部の２つの定電流回路Ｉ１３、Ｉ１４が、それぞれオンオフ動作可能なトランジスタＴｒ２１、Ｔｒ２２、Ｔｒ２３、Ｔｒ２４で構成されている。【０１１２】  なお、図３Ｂにおいて、参照符号Ｒ１１、Ｒ１２は、トランジスタＴｒ１１、Ｔｒ１２及びＴｒ１３、Ｔｒ１４毎の共通エミッタバイアス抵抗である。【０１１３】  また、図３Ｂにおいて、参照符号Ｒ１３、Ｒ１４は、トランジスタＴｒ２１、Ｔｒ２２及びＴｒ２３、Ｔｒ２４毎の共通エミッタバイアス抵抗である。【０１１４】  また、参照符号Ｄ１１、Ｄ１２は、それぞれ、トランジスタＴｒ１１、Ｔｒ１４及びＴｒ２１、Ｔｒ２４の各コレクタに共通に接続されるダイオードである。【０１１５】  そして、制御端子３６ｃからバッファ３８ａを介して定電流回路Ｉ１１、Ｉ１２、Ｉ１３、Ｉ１４の各トランジスタＴｒ１１、Ｔｒ１２、Ｔｒ１３、Ｔｒ１４及びＴｒ２１、Ｔｒ２２、Ｔｒ２３、Ｔｒ２４のベースに入力されるパルス信号Ｐａがハイレベル（第１のレベル）の期間においては当該高周波電子スイッチ３６がオン（動作）状態となって、作動用電流を供給してそれらをオンさせる。【０１１６】  これにより、正相信号入力端子３６ａ及び逆相信号入力端子３６ａ′と正相信号出力端子３６ｂ及び逆相信号出力端子３６ｂ′との間が高周波的に閉じられて、複数の増幅回路３７Ａ、３７Ｂ、３７Ｃにより順次に増幅された正相及び逆相のキャリア信号Ｃ、Ｃ′を通過させる。【０１１７】  なお、正相信号出力端子３６ｂ及び逆相信号出力端子３６ｂ′を通過した正相及び逆相のキャリア信号Ｃ、Ｃ′は、前述したように合成回路３７Ｄによって差動合成されたバースト波Ｐｂ（すなわち、振幅が２倍に増加した成分）として信号出力端子３６ｅから出力される。【０１１８】  また、制御端子３６ｃからバッファ３８ａを介して定電流回路Ｉ１１、Ｉ１２、Ｉ１３、Ｉ１４の各トランジスタＴｒ１１、Ｔｒ１２、Ｔｒ１３、Ｔｒ１４及びＴｒ２１、Ｔｒ２２、Ｔｒ２３、Ｔｒ２４のベースに入力されるパルス信号Ｐａがローレベル（第２のレベル）の期間においては当該高周波電子スイッチ３６がオフ（非動作）状態となって、それぞれ差動型に構成される複数の増幅回路３７Ａ、３７Ｂ、３７Ｃの各トランジスタＴｒ１、Ｔｒ２、Ｔｒ３、Ｔｒ４に対する作動用電流の供給が停止されてそれらをオフさせる。【０１１９】  これにより、複数の増幅回路３７Ａ、３７Ｂ、３７Ｃが非増��動作状態となって、正相信号入力端子３６ａ及び逆相信号入力端子３６ａ′と正相信号出力端子３６ｂ及び逆相信号出力端子３６ｂ′との間が高周波的に開かれることになる。【０１２０】  以上により、図３Ａ、Ｂに示す高周波電子スイッチ３６においては、当該高周波電子スイッチ３６がオフ（非動作）状態にあるときには、正相信号入力端子３６ａ及び逆相信号入力端子３６ａ′と正相信号出力端子３６ｂ及び逆相信号出力端子３６ｂ′との間が高周波的に開かれて、すなわち、アイソレーションされることにより、正相及び逆相のキャリア信号Ｃ、Ｃ′の通過が阻止される。【０１２１】  従って、高周波電子スイッチ３６が非作動（オフ動作）状態である期間では、正相及び逆相のキャリア信号Ｃ、Ｃ′のリークを効果的に抑圧することができる。【０１２２】  この場合、高周波電子スイッチ３６は、作動電流の供給制御が可能なトランジスタＴｒによる複数の増幅回路３７Ａ、３７Ｂ、３７Ｃが、正相信号入力端子３６ａ及び逆相信号入力端子３６ａ′と正相信号出力端子３６ｂ及び逆相信号出力端子３６ｂ′との間にカスケード接続されて構成されているので、複数段分のアイソレーションを得ることができ、前述したＲＲ電波発射禁止帯より高いＵＷＢの周波数帯等においてもオフ時の高周波キャリア信号のリークを十分に抑制することができる。【０１２３】  このように、図３Ａ、Ｂに示す高周波電子スイッチ３６は、パルス信号Ｐａに基づいて作動電流の供給がオンオフ制御されるトランジスタによるそれぞれ差動型に構成される複数の増幅回路をカスケード接続した構成であるので、オフ状態におけるキャリア信号のリークを、複数の増幅回路の段数分だけ効果的に抑圧することができる。【０１２４】  図３Ａ、Ｂに示す高周波電子スイッチ３６においても、図示破線で示すように、図２Ｂに示す高周波電子スイッチ３６と同様の目的で、制御端子３６ｃに入力されるパルス信号Ｐａに対して複数の増幅回路３７Ａ、３７Ｂ、３７Ｃにおいて順次に増幅される正相及び逆相のキャリア信号Ｃ、Ｃ′の遅延に対応した遅延を与える複数の遅延回路Ｄ１、Ｄ２、Ｄ３を備えるように構成することにより、制御端子３６ｃに入力されるパルス信号Ｐａのレベルに応じて複数の定電流回路Ｉ１、Ｉ２、Ｉ３をキャリア信号Ｃ、Ｃ′の遅延に対応させて時間的にずらして動作状態または非動作状態とさせるようにすることができる。【０１２５】  すなわち、図３Ａ、Ｂに示す高周波電子スイッチ３６は、基本的には、被スイッチ用の正相及び逆相の高周波キャリア信号Ｃ、Ｃ′が入力される正相信号入力端子３６ａ及び逆相信号入力端子３６ａ′と、前記正相信号入力端子３６ａ及び前記逆相信号入力端子３６ａ′に複数段カスケード接続され、それぞれ前記被スイッチ用の正相及び逆相の高周波キャリア信号Ｃ、Ｃ′を順次に増幅するためのトランジスタＴｒによる差動構成の複数の増幅回路３７Ａ、３７Ｂ、３７Ｃと、前記差動構成の複数の増幅回路３７Ａ、３７Ｂ、３７Ｃの最終段の増幅回路３７Ｃの差動出力部に接続され、前記順次に増幅される被スイッチ用の正相及び逆相の高周波キャリア信号Ｃ、Ｃ′を出力する正相信号出力端子３６ｂ及び逆相信号出力端子３６ｂ′と、スイッチング信号としての第��のレベルの期間及び第２のレベルの期間を有するパルス信号が入力される制御端子３６ｃと、前記制御端子３６ｃに入力されるパルス信号が第１のレベルの期間にあるとき、前記差動構成の複数の増幅回路３７Ａ、３７Ｂ、３７Ｃの各トランジスタＴｒに作動用電流を供給して前記差動構成の複数の増幅回路３７Ａ、３７Ｂ、３７Ｃを増幅動作状態とし、前記パルス信号が第２のレベルの期間にあるとき、前記差動構成の複数の増幅回路３７Ａ、３７Ｂ、３７Ｃの各トランジスタＴｒに対する作動用電流の供給を停止して前記差動構成の複数の増幅回路３７Ａ、３７Ｂ、３７Ｃを非増幅動作状態とする供給電流制御回路３８とを備え、前記制御端子３６ｃに入力されるパルス信号のレベルに応じて前記正相信号入力端子３６ａ及び逆相信号入力端子３６ａ′と正相信号出力端子３６ｂ及び逆相信号出力端子３６ｂ′との間を高周波的に開閉することを特徴としている。【０１２６】  従って、図３Ａ、Ｂに示す高周波電子スイッチ３６は、より好ましい構成として、前記信号入力端子３６ａとして備えられ、前記高周波キャリア信号Ｃとして正相及び逆相の高周波信号Ｃ、Ｃ′の少なくとも一方が入力される正相信号入力端子３６ａ及び逆相信号入力端子３６ａ′と、前記信号出力端子３６ｅとして備えられ、前記正相及び逆相の高周波キャリア信号Ｃ、Ｃ′の少なくとも一方が出力される正相信号出力端子３６ｂ及び逆相信号出力端子３６ｂ′とを有し、前記正相信号入力端子３６ａ及び逆相信号入力端子３６ａ′と前記正相信号出力端子３６ｂ及び逆相信号出力端子３６ｂ′との間に複数段カスケード接続される前記複数の増幅回路３７Ａ、３７Ｂ、３７Ｃをそれぞれ複数のトランジスタＴｒ１、Ｔｒ２、Ｔｒ３、Ｔｒ４による差動型に構成したしたことを特徴としている。【０１２７】  また、図３Ｂに示す高周波電子スイッチ３６は、より好ましくは、前記複数の定電流回路Ｉ１、Ｉ２、Ｉ３がそれぞれトランジスタＴｒ１１、Ｔｒ１２、Ｔｒ１３、Ｔｒ１４及びＴｒ２１、Ｔｒ２２、Ｔｒ２３、Ｔｒ２４による複数の定電流回路Ｉ１１、Ｉ１２、Ｉ１３、Ｉ１４で構成され、前記複数の定電流回路Ｉ１１、Ｉ１２、Ｉ３３、Ｉ１４の各トランジスタＴｒ１１、Ｔｒ１２、Ｔｒ１３、Ｔｒ１４及びＴｒ２１、Ｔｒ２２、Ｔｒ２３、Ｔｒ２４のベースに前記制御端子３６ｃに入力されるパルス信号Ｐａが供給されるように構成したことを特徴としている。【０１２８】  また、図３Ａ、Ｂに示す高周波電子スイッチ３６においては、より好ましくは、前記正相信号出力端子３６ｂ及び前記逆相信号出力端子３６ｂ′の間に接続され、前記正相信号入力端子３６ａ及び前記逆相信号入力端子３６ａ′にそれぞれ前記高周波キャリア信号Ｃとして正相及び逆相の高周波キャリア信号Ｃ、Ｃ′が入力されたとき、前記差動型に構成される複数の増幅回路３７Ａ、３７Ｂ、３７Ｃで順次に増幅されて前記正相信号出力端子３６ｂ及び前記逆相信号出力端子３６ｂ′から出力される前記高周波キャリア信号Ｃとして正相及び逆相の高周波キャリア信号Ｃ、Ｃ′を合成して出力する合成回路３７Ｄさらにを備えていることを特徴としている。【０１２９】  また、図３Ａ、Ｂに示す高周波電子スイッチ３６は、より好ましくは、前記供給電流制御回路３８が、それぞれ、前記差動型に構成される複数の増幅回路３７Ａ、３７Ｂ、３７Ｃの各トランジスタＴｒ１、Ｔｒ２、Ｔｒ３、Ｔｒ４に接続される複数の定電流回路Ｉ１１、Ｉ１２、Ｉ１３、Ｉ１４を含み、前記制御端子３６ｃに入力されるパルス信号Ｐａのレベルに応じて前記複数の定電流回路Ｉ１１、Ｉ１２、Ｉ１３、Ｉ１４を同時にまたはほぼ同時に動作状態または非動作状態とすることにより、前記差動型に構成される複数の増幅回路３７Ａ、３７Ｂ、３７Ｃを同時にまたはほぼ同時に増幅動作状態または非増幅動作状態とすることを特徴としている。【０１３０】  また、図３Ａ、Ｂに示す高周波電子スイッチ３６は、より好ましくは、前記供給電流制御回路３８′が、それぞれ、前記差動型に構成される複数の増幅回路３７Ａ、３７Ｂ、３７Ｃの各トランジスタＴｒ１、Ｔｒ２、Ｔｒ３、Ｔｒ４に接続される複数の定電流回路Ｉ１１、Ｉ１２、Ｉ１３、Ｉ１４と、前記制御端子３６ｃに入力されるパルス信号Ｐａに対して前記差動型に構成される複数の増幅回路３７Ａ、３７Ｂ、３７Ｃにおいて前記順次に増幅される正相及び逆相の高周波キャリア信号Ｃ、Ｃ′の遅延に対応した遅延を与える複数の遅延回路Ｄ１、Ｄ２、Ｄ３とを含み、前記制御端子３６ｃに入力されるパルス信号Ｐａのレベルに応じて前記複数の定電流回路Ｉ１１、Ｉ１２、Ｉ１３、Ｉ１４を前記正相及び逆相の高周波キャリア信号Ｃ、Ｃ′の遅延に対応させて時間的にずらして動作状態または非動作状態とすることを特徴としている。【０１３１】  図４、図５は、上記図３Ａ、Ｂに示すように構成される高周波電子スイッチ３６のオンオフ時の利得の周波数特性のシミュレーション結果である。【０１３２】  図４の特性は、図３Ａ、Ｂに示すように構成される高周波電子スイッチ３６の信号入力端子３６ａ、３６ａ′に対して、互いに位相が反転したキャリア信号Ｃ、Ｃ′を差動入力したときの特性であり、２６ＧＨｚで、１１０ｄＢ以上のオンオフ比が得られている。【０１３３】  また、図５の特性は、一方のキャリア信号Ｃをシングル入力したときの特性であり、２６ＧＨｚで、約１００ｄＢのオンオフ比が得られている。【０１３４】  このような大きなオンオフ比は、各増幅回路３７Ａ、３７Ｂ、３７Ｃが差動型に構成されているために、オフ時のリーク成分に対するキャンセル効果によってもたらされるものと考えられる。【０１３５】  ただし、上記特性は理論上のものであり、実際に回路を実装した場合のオンオフ比は上記結果より悪化するが、その悪化分を経験的に３０ｄＢと見積もっても、８０ｄＢ以上のオンオフ比が期待でき、２６ＧＨｚ帯におけるキャリア漏れを十分に抑圧することができる。【０１３６】  また、上記高周波電子スイッチ３６の回路構成では従来の高周波電子スイッチのようにコイルを用いないで済むので、ＵＷＢのレーダシステムに用いる幅の狭い、例えば、幅が１ｎｓ以下のパルスＰａに応答可能な高速性を有している。【０１３７】  そして、図１に示しているように、上記高周波電子スイッチ３６から出力されるバースト波Ｐｂは、電力増幅器３９により増幅されて送信アンテナ３２に供給される。【０１３８】  このため、送信アンテナ３２からは前記した短パルス波Ｐｔが探査対象の空間１に放射される。【０１３９】  一方、受信部４０は、空間１の物体１ａからの反射波Ｐｒを、受信アンテナ４１を介して受信し、その受信信号ＲをＬＮＡ（低雑音増幅器）４２により増幅し、その出力信号Ｒ′を検波回路４３によって検波する。【０１４０】  検波回路４３の出力信号Ｈは、アナログ／デジタル（Ａ／Ｄ）変換器４５によってデジタル値に変換され、信号処理部５０に入力される。【０１４１】  信号処理部５０は、受信部４０で得られた信号Ｈに基づいて、空間１に存在する物体１ａについての解析を行い、その解析結果を図示しない出力機器（例えば、表示器、音声発生器）によって報知し、また制御に必要な情報を制御部６０に通知する。【０１４２】  制御部６０は、この短パルスレーダ３０について予め決められたスケジュールにしたがって、あるいは、信号処理部５０の処理結果に応じて、送信部３１及び受信部４０に対して探査に必要な所定の各種制御を行う。【０１４３】  このように送信部３１のバースト波発生装置３４は、キャリア漏れが極めて少ない高周波電子スイッチ３６によってキャリア信号Ｃを断続してバースト波Ｐｂを発生するように構成されている。【０１４４】  従って、ＵＷＢの使用に際して規定されている電力密度の制限は、レーダシステムにおける送信波としてのバースト波Ｐｂの発振時に出力される短パルス波の瞬時パワーについてのみ考慮すればよく、規定されている電力を最大限有効に使用できる。【０１４５】  すなわち、以上のように図１、図２Ａ、Ｂ及び図３Ａ、Ｂに示されるバースト波発生装置は、高周波キャリア信号Ｃを連続的に出力するキャリア信号発生器３５と、前記キャリア信号発生器３５から出力される前記高周波キャリア信号Ｃをバースト状に出力または出力停止状態とする高周波電子スイッチ３６とを備え、前記高周波電子スイッチ３６は、前記高周波キャリア信号Ｃを受ける信号入力端子３６ａと、前記信号入力端子３６ａに複数段カスケード接続され、それぞれ前記高周波キャリア信号Ｃを順次に増幅するためのトランジスタＴｒによる複数の増幅回路３７Ａ、３７Ｂ、３７Ｃと、前記複数の増幅回路３７Ａ、３７Ｂ、３７Ｃの最終段の増幅回路３７Ｃの出力部に接続され、前記順次に増幅される高周波キャリア信号Ｃを出力する信号出力端子３６ｅと、スイッチング信号としての第１のレベルの期間及び第２のレベルの期間を有するパルス信号Ｐａが入力される制御端子３６ｃと、前記制御端子３６ｃに入力されるパルス信号Ｐｂが第１のレベルの期間にあるとき、前記複数の増幅回路３７Ａ、３７Ｂ、３７Ｃの各トランジスタＴｒに作動用電流を供給して前記複数の増幅回路３７Ａ、３７Ｂ、３７Ｃを増幅動作状態とし、前記パルス信号Ｐａが第２のレベルの期間にあるとき、前記複数の増幅回路３７Ａ、３７Ｂ、３７Ｃの各トランジスタＴｒに対する作動用電流の供給を停止して前記複数の増幅回路３７Ａ、３７Ｂ、３７Ｃを非増幅動作状態とする供給電流制御回路３８とを備え、前記高周波電子スイッチ３６により、前記制御端子３６ｃに入力されるパルス信号Ｐａのレベルに応じて前記信号入力端子３６ａと信号出力端子３６ｅとの間を高周波的に開閉して、前記高周波キャリア信号Ｃをバースト状に出力または出力停止状���とすることを特徴としている。【０１４６】  また、以上のように図１、図２Ａ、Ｂ及び図３Ａ、Ｂに示される短パルスレーダは、送信トリガ信号Ｇを受ける毎に、所定幅の短パルス波Ｐｔを空間１へ放射するために、高周波キャリア信号Ｃを連続的に出力するキャリア信号発生器３５及び該キャリア信号発生器３５から出力される前記高周波キャリア信号Ｃをバースト状に出力または出力停止状態とする高周波電子スイッチ３６とを含むバースト波発生装置３４を有する送信部３１と、前記短パルス波Ｐｔの反射波Ｐｒに対する受信検波処理を行う受信部４０と、前記受信部４０からの出力に基づいて、前記空間１に存在する物体１ａの解析処理を行う信号処理部５０と、前記信号処理部５０からの解析結果に基づいて、前記送信部３１及び前記受信部４０の少なくとも一方に対して所定の制御を行う制御部６０とを具備し、前記バースト波発生装置３４の高周波電子スイッチ３６は、前記高周波キャリア信号Ｃを受ける信号入力端子３６ａと、前記信号入力端子３６ａに複数段カスケード接続され、それぞれ前記高周波キャリア信号Ｃを順次に増幅するためのトランジスタＴｒによる複数の増幅回路３７Ａ、３７Ｂ、３７Ｃと、前記複数の増幅回路３７Ａ、３７Ｂ、３７Ｃの最終段の増幅回路３７Ｃの出力部に接続され、前記順次に増幅される高周波キャリア信号Ｃを出力する信号出力端子３６ｅと、スイッチング信号としての第１のレベルの期間及び第２のレベルの期間を有するパルス信号Ｐａが入力される制御端子３６ｃと、前記制御端子３６ｃに入力されるパルス信号が第１のレベルの期間にあるとき、前記複数の増幅回路３７Ａ、３７Ｂ、３７Ｃの各トランジスタＴｒに作動用電流を供給して前記複数の増幅回路３７Ａ、３７Ｂ、３７Ｃを増幅動作状態とし、前記パルス信号Ｐａが第２のレベルの期間にあるとき、前記複数の増幅回路３７Ａ、３７Ｂ、３７Ｃの各トランジスタＴｒに対する作動用電流の供給を停止して前記複数の増幅回路３７Ａ、３７Ｂ、３７Ｃを非増幅動作状態とする供給電流制御回路３８とを備え、前記高周波電子スイッチ３６により、前記制御端子３６ｃに入力されるパルス信号Ｐａのレベルに応じて前記信号入力端子３６ａと信号出力端子３６ｅとの間を高周波的に開閉して、前記高周波キャリア信号Ｃをバースト状に出力または出力停止状態とすることを特徴としている。【０１４７】  また、以上のように図１、図２Ａ、Ｂ及び図３Ａ、Ｂに示されるバースト波発生装置及び短パルスレーダは、より好ましくは、前記高周波電子スイッチ３６の前記信号入力端子３６ａとして備えられ、前記高周波キャリア信号Ｃとして正相及び逆相の高周波キャリア信号Ｃ、Ｃ′の少なくとも一方が入力される正相信号入力端子３６ａ及び逆相信号入力端子３６ａ′と、前記高周波電子スイッチ３６の前記信号出力端子３６ｅとして備えられ、前記正相及び逆相の高周波キャリア信号Ｃ、Ｃ′の少なくとも一方が出力される正相信号出力端子３６ｂ及び逆相信号出力端子３６ｂ′とを有し、前記正相信号入力端子３６ａ及び前記逆相信号入力端子３６ａ′と前記正相信号出力端子３６ｂ及び前記逆相信号出力端子３６ｂ′との間に複数段カスケード接続される前記複数の増幅回路３７Ａ、３７Ｂ、３７Ｃをそれぞれ複数のトランジスタＴｒ１、Ｔｒ２、Ｔｒ３、Ｔｒ４による差動型に構成したことを特徴としている。【０１４８】  また、以上のように図１、図２Ａ、Ｂ及び図３Ａ、Ｂに示されるバースト波発生装置及び短パルスレーダは、より好ましくは、前記高周波電子スイッチ３６の前記供給電流制御回路３８は、それぞれ、前記複数の増幅回路３７Ａ、３７Ｂ、３７Ｃの各トランジスタに接続される複数の定電流回路Ｉ１、Ｉ２、Ｉ３を含み、前記制御端子３６ｃに入力されるパルス信号Ｐａのレベルに応じて前記複数の定電流回路Ｉ１、Ｉ２、Ｉ３を同時にまたはほぼ同時に動作状態または非動作状態とすることにより、前記複数の増幅回路３７Ａ、３７Ｂ、３７Ｃを同時にまたはほぼ同時に増幅動作状態または非増幅動作状態とすることを特徴としている。【０１４９】  また、以上のように図１、図２Ａ、Ｂ及び図３Ａ、Ｂに示されるバースト波発生装置及び短パルスレーダは、より好ましくは、前記複数の定電流回路Ｉ１、Ｉ２、Ｉ３がそれぞれトランジスタＱ、Ｔｒ１１、Ｔｒ１２、Ｔｒ１３、Ｔｒ１４及びＴｒ２１、Ｔｒ２２、Ｔｒ２３、Ｔｒ２４による複数の定電流回路Ｉ１、Ｉ２、Ｉ３、Ｉ１１、Ｉ１２、Ｉ１３、Ｉ１４で構成され、前記複数の定電流回路Ｉ１、Ｉ２、Ｉ３、Ｉ１１、Ｉ１２、Ｉ１３、Ｉ１４の各トランジスタＱ、Ｔｒ１１、Ｔｒ１２、Ｔｒ１３、Ｔｒ１４及びＴｒ２１、Ｔｒ２２、Ｔｒ２３、Ｔｒ２４のベースに前記制御端子３６ｃに入力されるパルス信号Ｐａが供給されるように構成したことを特徴としている。【０１５０】  また、以上のように図１、図２Ａ、Ｂ及び図３Ａ、Ｂに示されるバースト波発生装置及び短パルスレーダは、より好ましくは、前記高周波電子スイッチ３６の前記供給電流制御回路３８′は、それぞれ、前記複数の増幅回路３７Ａ、３７Ｂ、３７Ｃの各トランジスタＴｒ、Ｔｒ１、Ｔｒ２、Ｔｒ３、Ｔｒ４に接続される複数の定電流回路Ｉ１、Ｉ２、Ｉ３、Ｉ１１、Ｉ１２、Ｉ１３、Ｉ１４と、前記制御端子３６ｃに入力されるパルス信号Ｐａに対して前記複数の増幅回路３７Ａ、３７Ｂ、３７Ｃにおいて前記順次に増幅される正相及び逆相の高周波キャリア信号Ｃ、Ｃ′の遅延に対応した遅延を与える複数の遅延回路Ｄ１、Ｄ２とを含み、前記制御端子３６ｃに入力されるパルス信号Ｐａのレベルに応じて前記複数の定電流回路Ｉ１、Ｉ２、Ｉ３、Ｉ１１、Ｉ１２、Ｉ１３、Ｉ１４を前記正相及び逆相の高周波キャリア信号Ｃ、Ｃ′の遅延に対応させて時間的にずらして動作状態または非動作状態とすることを特徴としている。【０１５１】  また、以上のように図１、図２Ａ、Ｂ及び図３Ａ、Ｂに示されるバースト波発生装置及び短パルスレーダは、より好ましくは、前記複数の定電流回路Ｉ１、Ｉ２、Ｉ３がそれぞれトランジスタＱ、Ｔｒ１１、Ｔｒ１２、Ｔｒ１３、Ｔｒ１４及びＴｒ２１、Ｔｒ２２、Ｔｒ２３、Ｔｒ２４による複数の定電流回路Ｉ１、Ｉ２、Ｉ３Ｉ１１、Ｉ１２、Ｉ１３、Ｉ１４で構成され、前記複数の定電流回路Ｉ１、Ｉ２、Ｉ３、Ｉ１１、Ｉ１２、Ｉ１３、Ｉ１４の各トランジスタＱ、Ｔｒ１１、Ｔｒ１２、Ｔｒ１３、Ｔｒ１４及びＴｒ２１、Ｔｒ２２、Ｔｒ２３、Ｔｒ２４のベースに前記制御端子３６ｃに入力されるパルス信号Ｐａ���供給されるように構成したことを特徴としている。【０１５２】  また、以上のように図１、図２Ａ、Ｂ及び図３Ａ、Ｂに示されるバースト波発生装置及び短パルスレーダは、より好ましくは、前記正相信号出力端子３６ｂ及び前記逆相信号出力端子３６ｂ′の間に接続され、前記正相信号入力端子３６ａ及び前記逆相信号入力端子３６ａ′にそれぞれ前記被スイッチ用の高周波信号Ｃとして正相及び逆相の高周波キャリア信号Ｃ、Ｃ′が入力されたとき、前記差動型に構成される複数の増幅回路３７Ａ、３７Ｂ、３７Ｃで順次に増幅されて前記正相信号出力端子３６ｂ及び前記逆相信号出力端子３６ｂ′から出力される前記高周波キャリア信号Ｃとして正相及び逆相の高周波キャリア信号Ｃ、Ｃ′を合成して出力する合成回路３７Ｄを備えていることを特徴としている。
【産業上の利用可能性】
【０１５３】  なお、上記実施形態は、本発明をＵＷＢの短パルスレーダに用いた例であるが、本発明の高周波電子スイッチ及びバースト波発生装置は、ＵＷＢの短パルスレーダだけでなく、ＵＷＢ以外の周波数帯で、高周波信号の断続やバースト波を発生する装置にも適用することが可能である。
【図１】
0004431149.tif 000002
【図２Ａ】
0004431149.tif 000003
【図２Ｂ】
0004431149.tif 000004
【図３Ａ】
0004431149.tif 000005
【図３Ｂ】
0004431149.tif 000006
【図４】
0004431149.tif 000007
【図５】
0004431149.tif 000008
【図６】
0004431149.tif 000009
【図７】
0004431149.tif 000010